(57)【要約】本明細書において提供されるのは、照明のための方法およびシステムである。これらの方法およびシステムは、処理装置と結び付けられたＬＥＤシステムを含み得る。運動による照明、高精度照明、スマート電球、娯楽用点灯システム、電力／データ・プロトコル、データ伝達トラック、照明要素、およびセンサー／フィードバック形式の応用例を含めて、処理装置により制御されるＬＥＤシステムの様々な使用環境および応用例が提供されている。【特許請求の範囲】
【請求項１】
スペクトル内のある領域の色を発生させる発光半導体ダイを複数持つＬＥＤを有するライト・モジュールと、
前記複数の半導体ダイに供給される特定量の電流により前記スペクトル内の対応する色が発生させられるように、前記複数の半導体ダイに供給される電流量を制御する処理装置
を備えたことを特徴とするモジュラーＬＥＤユニット。
【請求項２】
電源から前記ライト・モジュールへ電流を供給する電力供給モジュールをさらに含むことを特徴とする請求項１記載のモジュラーＬＥＤユニット。
【請求項３】
前記ライト・モジュールが、前記ライト・モジュールを取り外し可能に前記電力供給モジュールに連結する電気コネクタを含んでいることを特徴とする請求項２記載のモジュラーＬＥＤユニット。
【請求項４】
前記処理装置をプログラミングする手段をさらに含むことを特徴とする請求項１記載のモジュラーＬＥＤユニット。
【請求項５】
前記ライト・モジュールと前記処理装置間の交信を容易にする機構をさらに含むことを特徴とする請求項１記載のモジュラーＬＥＤユニット。
【請求項６】
スペクトル内のある領域の色を発生させる発光半導体ダイを複数備えたＬＥＤを、複数有するライト・モジュールと、
前記複数のＬＥＤを接続するデータ交信用リンクと、
前記複数の半導体ダイに供給される特定量の電流により前記スペクトル内の対応する色が発生させられるように、各ＬＥＤの前記複数の半導体ダイに供給される電流量を制御する処理装置
を備えたことを特徴とするモジュラーＬＥＤユニット。
【請求項７】
前記ライト・モジュールが、前記処理装置と前記ライト・モジュール間の交信を容易にする受信装置を含んでいることを特徴とする請求項６記載のモジュラーＬＥＤユニット。
【請求項８】
前記ライト・モジュールが、前記処理装置との交信を容易にする送信装置をさらに含んでいることを特徴とする請求項７記載のモジュラーＬＥＤユニット。
【請求項９】
電源から前記ライト・モジュールへ電流を供給する電力供給モジュールをさらに含むことを特徴とする請求項６記載のモジュラーＬＥＤユニット。
【請求項１０】
前記ライト・モジュールを取り外し可能に前記電力供給モジュールに連結する電気コネクタをさらに含むことを特徴とする請求項９記載のモジュラーＬＥＤユニット。
【請求項１１】
前記ライト・モジュール中の前記複数のＬＥＤが、細長い板上で直線状に連ねられて配置されていることを特徴とする請求項６記載のモジュラーＬＥＤユニット。
【請求項１２】
ＬＥＤの前記細長い板が、モジュラーＬＥＤユニット間での複数の細長い板の連結を許容するような機構を含んでいることを特徴とする請求項１１記載のモジュラーＬＥＤユニット。
【請求項１３】
前記ライト・モジュール中の前記複数のＬＥＤが、幾何学形状のパネル上に配置されていることを特徴とする請求項６記載のモジュラーＬＥＤユニット。
【請求項１４】
ＬＥＤの前記幾何学形状のパネルが、モジュラーＬＥＤユニット間での複数の幾何学形状のパネルの連結を許容するような機構を含んでいることを特徴とする請求項１３記載のモジュラーＬＥＤユニット。
【請求項１５】
前記ライト・モジュール中の前記複数のＬＥＤが、３次元構造を表現するように配置されていることを特徴とする請求項６記載のモジュラーＬＥＤユニット。
【請求項１６】
ＬＥＤの前記３次元構造が、モジュラーＬＥＤユニット間での複数の３次元構造の連結を許容するような機構を含んでいることを特徴とする請求項１５記載のモジュラーＬＥＤユニット。
【請求項１７】
前記連結機構が、モジュラーＬＥＤユニット間における電気的連結および機械的連結を許容することを特徴とする請求項１２、１４あるいは１６のいずれかに記載のモジュラーＬＥＤユニット。
【請求項１８】
少なくとも２色の異なる色を成す複数の、スペクトル内のある領域の色を発生させる発光ダイオード（ＬＥＤ）と、
前記複数の発光ダイオードに供給される特定量の電流により前記スペクトル内の対応する色が発生させられるように、前記複数の発光ダイオードに供給される電流量を制御する処理装置と、
電源からライト・モジュールへ電流を供給する電力供給モジュール
を備えたことを特徴とするモジュラーＬＥＤユニット。
【請求項１９】
前記ライト・モジュールを取り外し可能に前記電力供給モジュールに連結する電気コネクタをさらに含むことを特徴とする請求項１８記載のモジュラーＬＥＤユニット。
【請求項２０】
前記ライト・モジュールが、前記処理装置と前記ライト・モジュール間の交信を容易にする受信装置を含んでいることを特徴とする請求項１８記載のモジュラーＬＥＤユニット。
【請求項２１】
前記ライト・モジュールが、前記処理装置との交信を容易にする送信装置をさらに含んでいることを特徴とする請求項２０記載のモジュラーＬＥＤユニット。
【請求項２２】
前記ライト・モジュール中の前記複数の発光ダイオードが、細長い板上で直線状に連ねられて配置されていることを特徴とする請求項１８記載のモジュラーＬＥＤユニット。
【請求項２３】
発光ダイオードの前記細長い板が、モジュラーＬＥＤユニット間での複数の細長い板の連結を許容するような機構を含んでいることを特徴とする請求項２２記載のモジュラーＬＥＤユニット。
【請求項２４】
前記ライト・モジュール中の前記複数の発光ダイオードが、幾何学形状のパネル上に配置されていることを特徴とする請求項１８記載のモジュラーＬＥＤユニット。
【請求項２５】
ＬＥＤの前記幾何学形状のパネルが、モジュラーＬＥＤユニット間での複数の幾何学形状のパネルの連結を許容するような機構を含んでいることを特徴とする請求項２４記載のモジュラーＬＥＤユニット。
【請求項２６】
前記ライト・モジュール中の前記複数の発光ダイオードが、３次元構造を表現するように配置されていることを特徴とする請求項１８記載のモジュラーＬＥＤユニット。
【請求項２７】
発光ダイオードの前記３次元構造が、モジュラーＬＥＤユニット間での複数の３次元構造の連結を許容するような機構を含んでいることを特徴とする請求項２６記載のモジュラーＬＥＤユニット。
【請求項２８】
前記連結機構が、モジュラーＬＥＤユニット間における電気的連結および機械的連結を許容することを特徴とする請求項２３、２５あるいは２７のいずれかに記載のモジュラーＬＥＤユニット。
【請求項２９】
ある環境中における照明方法であって、
請求項１、６あるいは１８のいずれかに記載のモジュラーＬＥＤユニットを提供し、
前記環境中に前記モジュラーＬＥＤユニットを配置し、
少なくとも１つのＬＥＤに供給される特定量の電流により前記スペクトル内の対応する色が発生させられるように、前記少なくとも１つのＬＥＤに供給される電流量を制御する、
各工程を含むことを特徴とする照明方法。
【請求項３０】
前記環境が手持用の懐中電灯を含んでいることを特徴とする請求項２９記載の方法。
【請求項３１】
前記環境が、指示灯の使用を必要とするような環境を含んでいることを特徴とする請求項２９記載の方法。
【請求項３２】
前記環境が、エレベーターの階数ボタン、エレベーターの階数標示パネル、自動車の計器盤、自動車のエンジンキー領域、自動車の盗難防止用警告指示灯、ステレオシステムのユニット、電話のダイアルパッドのボタン、留守番電話の伝言の有無を指示する部分、ドアチャイムのボタン、ライトの状態スイッチ、コンピュータのステータス指示部、ビデオ監視装置の状態指示部および時計から成る群より選択されることを特徴とする請求項３１記載の方法。
【請求項３３】
前記環境が、身体に着けられる装置を含んでいることを特徴とする請求項２９記載の方法。
【請求項３４】
前記環境が、宝飾製品、衣料製品、靴、眼鏡、手袋および帽子から成る群より選択されることを特徴とする請求項３３記載の方法。
【請求項３５】
前記環境がライトペンを含んでいることを特徴とする請求項２９記載の方法。
【請求項３６】
前記環境が歯ブラシを含んでいることを特徴とする請求項２９記載の方法。
【請求項３７】
ある環境中における照明方法であって、
請求項１１あるいは２２に記載のモジュラーＬＥＤユニットを少なくとも１つ提供し、
前記環境中にＬＥＤの前記細長い板を配置し、
少なくとも１つのＬＥＤに供給される特定量の電流により前記スペクトル内の対応する色が発生させられるように、前記少なくとも１つのＬＥＤに供給される電流量を制御する
各工程を含むことを特徴とする照明方法。
【請求項３８】
前記環境が歩道を含み、前記配置工程が、ＬＥＤの前記細長い板を前記歩道の片側に沿って方向指示部として配置する工程を含んでいることを特徴とする請求項３７記載の方法。
【請求項３９】
前記環境がコーブを含み、前記配置工程が、前記コーブに近接する箇所に提供されたＬＥＤの前記細長い板を、ＬＥＤの前記細長い板が前記コーブを照明できるように配置する工程を含んでいることを特徴とする請求項３７記載の方法。
【請求項４０】
前記環境が手摺りを含み、前記配置工程が、利用者に前記手摺りの位置を教えるために、ＬＥＤの前記細長い板を前記手摺りの表面に配置する工程を含んでいることを特徴とする請求項３７記載の方法。
【請求項４１】
前記環境が階段の複数の段を含み、前記配置工程が、利用者に前記段の位置を知らせるために、ＬＥＤの前記細長い板を前記段の縁に配置する工程を含んでいることを特徴とする請求項３７記載の方法。
【請求項４２】
前記環境が便器を含み、前記配置工程が、利用者に前記便器または便座の位置を知らせるために、ＬＥＤの前記細長い板を前記便器または前記便座の縁に沿って配置する工程を含んでいることを特徴とする請求項３７記載の方法。
【請求項４３】
前記環境が自動車後部の高い位置に保持されたブレーキランプを含み、前記配置工程が、ＬＥＤの前記細長い板を、前記ブレーキランプのために予め提供された収容部内に配置する工程を含んでいることを特徴とする請求項３７記載の方法。
【請求項４４】
前記環境が冷蔵庫のドアを含み、前記配置工程が、ＬＥＤの前記細長い板を前記冷蔵庫のドアの取手上に配置する工程を含んでいることを特徴とする請求項３７記載の方法。
【請求項４５】
前記環境が樹木を含み、前記配置工程が、前記樹木上の照明を可能とするために、ＬＥＤの前記細長い板を前記樹木上に配置する工程を含んでいることを特徴とする請求項３７記載の方法。
【請求項４６】
前記環境が建造物を含み、前記配置工程が、前記ＬＥＤの照明により見る人の注目を集められるように、ＬＥＤの前記細長い板を前記建造物の表面に沿って配置する工程を含んでいることを特徴とする請求項３７記載の方法。
【請求項４７】
ある環境中における照明方法であって、
請求項１３あるいは２４に記載のモジュラーＬＥＤユニットを少なくとも１つ提供し、
前記環境中にＬＥＤの前記パネルを配置し、
少なくとも１つのＬＥＤに供給される特定量の電流により前記スペクトル内の対応する色が発生させられるように、前記少なくとも１つのＬＥＤに供給される電流量を制御する
各工程を含むことを特徴とする照明方法。
【請求項４８】
前記環境が床を含み、前記配置工程が、前記床上の少なくとも１つの指定領域における照明を提供するために、ＬＥＤの幾何学形状のパネルを前記少なくとも１つの指定領域内に配置する工程を含んでいることを特徴とする請求項４７記載の方法。
【請求項４９】
前記環境が照明面を含み、前記配置工程が、前記照明面上のグラフィック図案の照明または前記照明面上に置かれた物体の照明を提供するために、ＬＥＤの幾何学形状のパネルを前記照明面の背後に配置する工程を含んでいることを特徴とする請求項４７記載の方法。
【請求項５０】
前記環境が表示看板を含み、前記配置工程が、前記表示看板上の図案の照明を提供するために、ＬＥＤの幾何学形状のパネルを前記表示看板の前面側に配された収容部内に配置する工程を含んでいることを特徴とする請求項４７記載の方法。
【請求項５１】
前記環境が交通信号灯を含み、前記配置工程が、ＬＥＤの幾何学形状のパネルを、複数の信号灯のうちの少なくとも１つの信号灯を収容する収容部内に配置する工程を含むことを特徴とする請求項４７記載の方法。
【請求項５２】
前記環境が方向表示看板を含み、前記配置工程が、ＬＥＤの幾何学形状のパネルを前記方向表示看板の収容部内に配置する工程を含んでいることを特徴とする請求項４７記載の方法。
【請求項５３】
前記環境がインフォメーション・ボードを含み、前記配置工程が、情報データが前記ボードを読む人に提供されるように、ＬＥＤの少なくとも１つの幾何学形状のパネルを前記ボードの前面上に配置する工程を含んでいることを特徴とする請求項４７記載の方法。
【請求項５４】
前記インフォメーション・ボードが、交通情報標識、無音声ラジオ、スコアボード、価格ボード、電子広告ボードおよび大型公衆テレビ画面から成る群より選択されることを特徴とする請求項５３記載の方法。
【請求項５５】
ある環境中における照明方法であって、
請求項１５あるいは２６に記載のモジュラーＬＥＤユニットを少なくとも１つ提供し、
前記環境中にＬＥＤの前記３次元構造を配置し、
少なくとも１つのＬＥＤに供給される特定量の電流により前記スペクトル内の対応する色が発生させられるように、前記少なくとも１つのＬＥＤに供給される電流量を制御する
各工程を含むことを特徴とする照明方法。
【請求項５６】
前記環境が組み立てブロック型玩具を含み、前記配置工程が、前記組み立てブロック型玩具の照明を可能とするために、ＬＥＤの少なくとも１つの３次元構造を、前記組み立てブロック型玩具の表面または内部に配置する工程を含んでいることを特徴とする請求項５５記載の方法。
【請求項５７】
前記環境が装飾用展示品を含み、前記配置工程が、ＬＥＤの少なくとも１つの３次元構造を、展示のためのある特定の形状に形成する工程を含んでいることを特徴とする請求項５５記載の方法。
【請求項５８】
前記装飾用展示品が、クリスマスツリー用オーナメント、動物型のフィギュア、ディスコ用照明ボールおよび表現可能なあらゆる自然物体あるいは人工物体から成る群より選択されることを特徴とする請求項５７記載の方法。
【請求項５９】
前記環境が建築用ガラスブロックを含み、前記配置工程が、前記ガラスブロックの照明のために、ＬＥＤの少なくとも１つの３次元構造を前記ガラスブロック内に配置する工程を含んでいることを特徴とする請求項５５記載の方法。
【請求項６０】
前記環境が大型の文字を含み、前記配置工程が、前記文字の照明のために、ＬＥＤの少なくとも１つの３次元構造を前記文字の表面または内部に配置する工程を含んでいることを特徴とする請求項５５記載の方法。
【請求項６１】
前記環境が従来型の照明装置を含み、前記配置工程が、ＬＥＤの前記３次元構造を、従来型の電球を受容するソケット内に配置する工程を含んでいることを特徴とする請求項５５記載の方法。
【請求項６２】
前記環境が警告塔を含み、前記配置工程が、ＬＥＤの前記３次元構造を、上空を飛行する航空機または遠方に位置する船舶への警告指示部として機能するように、前記警告塔上に配置する工程を含んでいることを特徴とする請求項５５記載の方法。
【請求項６３】
前記環境がブイを含み、前記配置工程が、ＬＥＤの前記３次元構造を、前記ブイの照明のために、前記ブイの内部または表面上に配置する工程を含んでいることを特徴とする請求項５５記載の方法。
【請求項６４】
前記環境がボールまたはパックを含み、前記配置工程が、前記ボールまたはパックの視認容易性を高めるために、ＬＥＤの前記３次元構造を前記ボールまたはパックの内部に配置する工程を含んでいることを特徴とする請求項５５記載の方法。
【請求項６５】
ある環境中における照明方法であって、
請求項１、１１、１３、１５、２２、２４あるいは２６のいずれかに記載のモジュラーＬＥＤユニットの２つ以上を組み合わせて前記環境中に配置し、
少なくとも１つのＬＥＤに供給される特定量の電流により前記スペクトル内の対応する色が発生させられるように、前記少なくとも１つのＬＥＤに供給される電流量を制御する
各工程を含むことを特徴とする照明方法。
【請求項６６】
前記環境が装飾用展示品を含み、前記配置工程が、ＬＥＤの細長い板、ＬＥＤのパネルまたはＬＥＤの３次元構造のうちの少なくとも１つを、前記装飾用展示品の表面上に配置する工程を含んでいることを特徴とする請求項６５記載の方法。
【請求項６７】
前記装飾用展示品が、クリスマスツリー用オーナメント、動物型のフィギュア、ディスコ用照明ボールおよび表現可能なあらゆる自然物体あるいは人工物体を含んでいることを特徴とする請求項６６記載の方法。
【請求項６８】
前記環境がボウリング場を含み、前記配置工程が、ＬＥＤの細長い板、ＬＥＤのパネルまたはＬＥＤの３次元構造のうちの１つをレーンに沿って配置し、かつＬＥＤの細長い板、ＬＥＤのパネルまたはＬＥＤの３次元構造のうちの１つを前記ボウリング場の天井、床または壁に配置する工程を含んでいることを特徴とする請求項６５記載の方法。
【請求項６９】
前記環境が舞台用セットを含み、前記配置工程が、ＬＥＤの細長い板、ＬＥＤのパネルまたはＬＥＤの３次元構造のうちの１つを舞台の天井、床または壁に配置し、かつＬＥＤの前記細長い板、ＬＥＤの前記パネルまたはＬＥＤの前記３次元構造のうちの１つを前記舞台の前記天井、前記床または前記壁のうちの残りの要素に配置する工程を含んでいることを特徴とする請求項６５記載の方法。
【請求項７０】
前記環境が水泳用プールを含み、前記配置工程が、ＬＥＤの細長い板、ＬＥＤのパネルまたはＬＥＤの３次元構造のうちの１つを前記水泳用プールの床または壁に配置し、かつＬＥＤの前記細長い板、ＬＥＤの前記パネルまたはＬＥＤの前記３次元構造のうちの１つを前記水泳用プールの前記床または前記壁のうちの残りの一方に配置する工程を含んでいることを特徴とする請求項６５記載の方法。
【請求項７１】
前記環境が宇宙飛行機の貨物室を含み、前記配置工程が、ＬＥＤの細長い板、ＬＥＤのパネルまたはＬＥＤの３次元構造のうちの１つを前記貨物室の床、天井または壁に配置し、かつＬＥＤの前記細長い板、ＬＥＤの前記パネルまたはＬＥＤの前記３次元構造のうちの１つを前記貨物室の前記床、前記天井または前記壁のうちの残りの要素に配置する工程を含んでいることを特徴とする請求項６５記載の方法。
【請求項７２】
前記環境が航空機の格納庫を含み、前記配置工程が、ＬＥＤの細長い板、ＬＥＤのパネルまたはＬＥＤの３次元構造のうちの１つを前記格納庫の床、天井または壁に配置し、かつＬＥＤの前記細長い板、ＬＥＤの前記パネルまたはＬＥＤの前記３次元構造のうちの１つを前記格納庫の前記床、前記天井または前記壁のうちの残りの要素に配置する工程を含んでいることを特徴とする請求項６５記載の方法。
【請求項７３】
前記環境が倉庫を含み、前記配置工程が、ＬＥＤの細長い板、ＬＥＤのパネルまたはＬＥＤの３次元構造のうちの１つを前記倉庫の床、天井または壁に配置し、かつＬＥＤの前記細長い板、ＬＥＤの前記パネルまたはＬＥＤの前記３次元構造のうちの１つを前記倉庫の前記床、前記天井または前記壁のうちの残りの要素に配置する工程を含んでいることを特徴とする請求項６５記載の方法。
【請求項７４】
前記環境が地下鉄の駅を含み、前記配置工程が、ＬＥＤの細長い板、ＬＥＤのパネルまたはＬＥＤの３次元構造のうちの１つを前記地下鉄の駅の床、天井または壁に配置し、かつＬＥＤの前記細長い板、ＬＥＤの前記パネルまたはＬＥＤの前記３次元構造のうちの１つを前記地下鉄の駅の前記床、前記天井または前記壁のうちの残りの要素に配置する工程を含んでいることを特徴とする請求項６５記載の方法。
【請求項７５】
前記環境がボート港を含み、前記配置工程が、ＬＥＤの細長い板、ＬＥＤのパネルまたはＬＥＤの３次元構造のうちの１つをブイ、ドック、ライト固定物またはボートハウスに配置し、かつＬＥＤの前記細長い板、ＬＥＤの前記パネルまたはＬＥＤの前記３次元構造のうちの１つを前記ブイ、前記ドック、前記ライト固定物または前記ボートハウスのうちの残りの要素に配置する工程を含んでいることを特徴とする請求項６５記載の方法。
【請求項７６】
前記環境が暖炉を含み、前記配置工程が、前記スペクトル内の色が発生させられた際に炎の出現が擬似実現されるように、ＬＥＤの細長い板、ＬＥＤのパネルまたはＬＥＤの３次元構造のうちの１つを前記暖炉の模造薪、壁または床に配置し、かつＬＥＤの前記細長い板、ＬＥＤの前記パネルまたはＬＥＤの前記３次元構造のうちの１つを前記暖炉の前記模造薪、壁または床のうちの残りの要素に配置する工程を含んでいることを特徴とする請求項６５記載の方法。
【請求項７７】
前記環境が自動車の下面を含み、前記配置工程が、前記自動車が通行する道路表面の照明を可能とするために、ＬＥＤの細長い板、ＬＥＤのパネルまたはＬＥＤの３次元構造のうちの１つを前記自動車の前記下面に配置する工程を含んでいることを特徴とする請求項６５記載の方法。
【請求項７８】
ａ）照明システム、
ｂ）前記照明システムを流れる電流の流れを制御し、前記制御によって前記照明システムから発せられる光の特性を決定するマイクロコントローラ、
ｃ）電圧信号を２進数の情報に変換するために前記マイクロコントローラに連結された、アナログ信号からデジタル信号への変換器、および
ｄ）物理量を電圧に変換するために前記変換器に連結されたトランスデューサを備えたことを特徴とする周辺環境の状態を標示するためのライト装置。
【請求項７９】
前記照明システムが少なくとも１つのＬＥＤを含んでいることを特徴とする請求項７８記載のライト装置。
【請求項８０】
前記トランスデューサが温度トランスデューサを含んでいることを特徴とする請求項７８記載のライト装置。
【請求項８１】
前記トランスデューサが力トランスデューサを含んでいることを特徴とする請求項７８記載のライト装置。
【請求項８２】
前記トランスデューサが磁場トランスデューサを含んでいることを特徴とする請求項７８記載のライト装置。
【請求項８３】
前記トランスデューサが粒子検出器を含んでいることを特徴とする請求項７８記載のライト装置。
【請求項８４】
前記トランスデューサが化学プローブを含んでいることを特徴とする請求項７８記載のライト装置。
【請求項８５】
前記トランスデューサが電磁放射検出器を含んでいることを特徴とする請求項７８記載のライト装置。
【請求項８６】
ａ）電源端子、
ｂ）前記電源端子に連結された少なくとも１つの発光ダイオード（ＬＥＤ）、
ｃ）前記少なくとも１つのＬＥＤに連結され、活動化信号に反応できる入力部を有する電流シンク、
ｄ）前記入力部に接続された制御装置であって、変更可能なアドレス、計時サイクルの予め定められたある一部の時間に渡って前記活動化信号を発生させるためのタイマー、および前記変更可能なアドレスに対応するデータでありかつ前記計時サイクルの前記予め定められた一部の時間を指し示すデータを受信する受信部を有する制御装置、
ｅ）電圧信号を２進数の情報に変換するために前記制御装置に連結された、アナログ信号からデジタル信号への変換器、および
ｆ）物理量を電圧に変換するために前記変換器に連結されたトランスデューサを備えたことを特徴とする周辺環境の状態を標示するためのライト装置。
【請求項８７】
前記トランスデューサが温度トランスデューサを含んでいることを特徴とする請求項８６記載のライト装置。
【請求項８８】
前記温度トランスデューサが、熱電対、サーミスターおよび集積回路温度センサーのうちの少なくとも１つを含んでいることを特徴とする請求項８７記載のライト装置。
【請求項８９】
前記装置が、周囲の温度をある領域の色と結び付ける色表示温度計であることを特徴とする請求項８７記載のライト装置。
【請求項９０】
前記トランスデューサが力トランスデューサを含んでいることを特徴とする請求項８６記載のライト装置。
【請求項９１】
前記力トランスデューサが、差動変圧器、ストレインゲージおよび圧電装置のうちの少なくとも１つを含んでいることを特徴とする請求項９０記載のライト装置。
【請求項９２】
前記装置が、ホイールの角速度をある領域の色と結び付ける色表示速度計であることを特徴とする請求項９０記載のライト装置。
【請求項９３】
前記装置が、傾斜角度をある領域の色と結び付ける色表示傾斜計であることを特徴とする請求項９０記載のライト装置。
【請求項９４】
前記トランスデューサが磁場トランスデューサを含んでいることを特徴とする請求項８６記載のライト装置。
【請求項９５】
前記磁場トランスデューサが、ホール効果プローブ、フリップコイルおよび核磁気共鳴磁場強度計のうちの少なくとも１つを含んでいることを特徴とする請求項９４記載のライト装置。
【請求項９６】
前記トランスデューサが粒子検出器を含んでいることを特徴とする請求項８６記載のライト装置。
【請求項９７】
前記粒子検出器が、電離箱、ガイガー・カウンター、シンチレータ、半導体検出器、表面障壁型検出器、チェレンコフ検出器およびドリフトチェンバーのうちの少なくとも１つを含んでいることを特徴とする請求項９６記載のライト装置。
【請求項９８】
ａ）煙探知器、および
ｂ）前記煙探知器に電気的に連結されている請求項９６記載のライト装置
を備えたことを特徴とする、相当数の煙粒子の存在に反応して様々な色の光を発する色表示煙警報システム。
【請求項９９】
前記トランスデューサが化学プローブを含んでいることを特徴とする請求項８６記載のライト装置。
【請求項１００】
前記化学プローブがイオン選択性電極を含んでいることを特徴とする請求項９９記載のライト装置。
【請求項１０１】
前記装置が、有色光を表示することにより溶液の酸性度を指示する電子色表示ｐＨメーターであることを特徴とする請求項９９記載のライト装置。
【請求項１０２】
前記トランスデューサが電磁放射検出器を含んでいることを特徴とする請求項８６記載のライト装置。
【請求項１０３】
前記電磁放射検出器が、フォトダイオード、フォトトランジスター、光電子増倍管、チャネルプレート型増倍管、電荷結合素子および強化シリコン増倍管ターゲット（ＩＳＩＴ）のうちの少なくとも１つを含んでいることを特徴とする請求項１０２記載のライト装置。
【請求項１０４】
ａ）ＩＤバッジ、
ｂ）前記ＩＤバッジに備わる請求項１０２記載のライト装置、
ｃ）前記ＩＤバッジ上に配された電磁放射の送信部および受信部、および
ｄ）前記ＩＤバッジとの間で電磁信号の受信および送信を行う防犯解除ネットワーク
を備えたことを特徴とする、物体の存在を知らせる防犯システム。
【請求項１０５】
前記システムが人物の身分および解除レベルに関する情報を提供することを特徴とする請求項１０４記載の防犯システム。
【請求項１０６】
室内において実質的に一定の照明状態を維持する光バッファであって、
ａ）請求項１０２記載のライト装置、および
ｂ）予め選択された照明状態を維持するために前記照明状態を監視する、前記ライト装置に連結されたフィードバック機構
を備えたことを特徴とする光バッファ。
【請求項１０７】
ａ）電源端子、
ｂ）前記電源端子に連結された照明システム、
ｃ）前記照明システムに連結され、活動化信号に反応する入力部を有する電流シンク、
ｄ）前記入力部に接続された制御装置であって、変更可能なアドレス、計時サイクルの予め定められたある一部の時間に渡って前記活動化信号を発生させるためのタイマー、および前記変更可能なアドレスに対応するデータでありかつ前記計時サイクルの前記予め定められた一部の時間を指し示すデータを受信する受信部を有する制御装置、および
ｅ）電圧信号を２進数の情報に変換するために前記制御装置に連結された、アナログ信号からデジタル信号への変換器
を備えたことを特徴とする電話用色表示指示器。
【請求項１０８】
ａ）照明システムを提供し、
ｂ）前記照明システムから発せられる光の特性を決定するためのマイクロコントローラを使用して、前記照明システムを流れる電流の流れを制御し、
ｃ）前記マイクロコントローラに連結されたＡ／Ｄ変換器を使用して、アナログ情報をデジタル情報に変換し、
ｄ）前記変換器に連結されたトランスデューサを使用して、物理量を電気信号に変換する
各工程を含むことを特徴とする、周辺環境の状態を標示する方法。
【請求項１０９】
前記トランスデューサが、温度トランスデューサ、力トランスデューサ、磁場トランスデューサ、粒子検出器、化学プローブおよび電磁放射検出器のうちの１つを含んでいることを特徴とする請求項１０８記載の方法。
【請求項１１０】
スペクトル内のある領域の色を有する光を発生させるＬＥＤシステムを提供し、
前記光によって物体に効果を及ぼすために、前記ＬＥＤシステムを配置し、
前記物体が照明されるように前記光を発生させる
各行為を含むことを特徴とする、見る人の注目を集めるための方法。
【請求項１１１】
前記光を発生させる行為が、前記ＬＥＤシステムに供給される特定量の電流により前記スペクトル内の対応する色の光が発生させられるように、前記ＬＥＤシステムに供給される電流量を制御する処理装置を提供する行為を含んでいることを特徴とする請求項１１０記載の方法。
【請求項１１２】
前記配置する行為が、水槽に効果を及ぼすために前記ＬＥＤシステムを配置する行為を含むことを特徴とする請求項１１１記載の方法。
【請求項１１３】
前記配置する行為が、展示品に効果を及ぼすために前記ＬＥＤシステムを配置する行為を含んでいることを特徴とする請求項１１１記載の方法。
【請求項１１４】
前記配置する行為が、ジオラマに効果を及ぼすために前記ＬＥＤシステムを配置する行為を含んでいることを特徴とする請求項１１１記載の方法。
【請求項１１５】
前記配置する行為が、展示ケースに効果を及ぼすために前記ＬＥＤシステムを配置する行為を含んでいることを特徴とする請求項１１１記載の方法。
【請求項１１６】
前記配置する行為が、食用に適する物体に効果を及ぼすために前記ＬＥＤシステムを配置する行為を含んでいることを特徴とする請求項１１１記載の方法。
【請求項１１７】
前記配置する行為が、不透明でない物体に効果を及ぼすために前記ＬＥＤシステムを配置する行為を含んでいることを特徴とする請求項１１１記載の方法。
【請求項１１８】
前記不透明でない物体が実質的に透明であり、ガラス、氷、結晶またはプラスチックを含んでいることを特徴とする請求項１１７記載の方法。
【請求項１１９】
前記配置する行為が、不透明でない物質を収容している不透明でない容器に効果を及ぼすために前記ＬＥＤシステムを配置する行為を含んでいることを特徴とする請求項１１７記載の方法。
【請求項１２０】
前記容器および前記物質が実質的に透明であることを特徴とする請求項１１９記載の方法。
【請求項１２１】
前記容器が飲料品用容器であり、前記物質が飲料品であることを特徴とする請求項１１９記載の方法。
【請求項１２２】
前記配置する行為が、前記物体を支持するコースター上に前記ＬＥＤシステムを配する行為を含んでいることを特徴とする請求項１１９記載の方法。
【請求項１２３】
前記配置する行為が、表示看板に効果を及ぼすために前記ＬＥＤシステムを配置する行為を含んでいることを特徴とする請求項１１１記載の方法。
【請求項１２４】
前記配置する行為が、インフォメーション・ボードに効果を及ぼすために前記ＬＥＤシステムを配置する行為を含んでいることを特徴とする請求項１１１記載の方法。
【請求項１２５】
前記インフォメーション・ボードが、交通情報標識、無音声ラジオ、スコアボード、価格ボードおよび広告ボードから成る群より選択されることを特徴とする請求項１２４記載の方法。
【請求項１２６】
前記発生させられた光が、時間に伴って色を変えることを特徴とする請求項１１１記載の方法。
【請求項１２７】
前記発生させられた光が、一定の色を保つことを特徴とする請求項１１１記載の方法。
【請求項１２８】
前記発生させられた光が、前記発生させられた光が効果を及ぼしている前記物体の色の変化を見る人に知覚させられるように、ある区切られた時間に渡って色を変えることを特徴とする請求項１１１記載の方法。
【請求項１２９】
前記発生させられた光が、前記発生させられた光が効果を及ぼしている前記物体上の図案が動作するかのような錯覚を見る人に知覚させられるように、ある区切られた時間に渡って色を変えることを特徴とする請求項１１１記載の方法。
【請求項１３０】
前記物体が、絵画、写真、画像、表示看板、インフォメーション・ボードまたは広告表示のうちの少なくとも１つであることを特徴とする請求項１２８あるいは１２９記載の方法。
【請求項１３１】
前記発生させられた光が、前記発生させられた光が効果を及ぼしている前記物体が動作するかのような錯覚を見る人に知覚させられるように、ある区切られた時間に渡って色を変えることを特徴とする請求項１１１記載の方法。
【請求項１３２】
前記光が効果を及ぼしている前記物体が、広告目的の表示を少なくとも１つ含んでいることを特徴とする請求項１２８、１２９あるいは１３１のいずれかに記載の方法。
【請求項１３３】
前記発生させられた光が、予めプログラムされたシークエンス中のある区切られた時間に渡って色を変えることを特徴とする請求項１２８、１２９あるいは１３１のいずれかに記載の方法。
【請求項１３４】
前記発生させられた光が、外的条件に反応してある区切られた時間に渡って色を変えることを特徴とする請求項１２８、１２９あるいは１３１のいずれかに記載の方法。
【請求項１３５】
前記外的条件が、人の存在位置の近さ、周辺光、１日の中の時刻および場所のうちの少なくとも１つであることを特徴とする請求項１３４記載の方法。
【請求項１３６】
スペクトル内のある領域の色を有する光を発生させるＬＥＤシステムを提供し、
前記ＬＥＤシステムとある面との間に物体を配置し、
前記物体を通して前記面上に光が投射されるように、光を発生させる
各行為を含むことを特徴とする、見る人の注目を集めるための方法。
【請求項１３７】
前記光を発生させる行為が、前記ＬＥＤシステムに供給される特定量の電流により前記スペクトル内の対応する色の光が発生させられるように、前記ＬＥＤシステムに供給される電流量を制御する処理装置を提供する行為を含んでいることを特徴とする請求項１３６記載の方法。
【請求項１３８】
前記配置する行為が、前記ＬＥＤシステムと前記面の間に、謄写板および遮光板のうちの少なくとも１つを配置する行為を含んでいることを特徴とする請求項１３７記載の方法。
【請求項１３９】
前記配置する行為が、前記ＬＥＤシステムと前記面の間に、パターン型を配置する行為を含んでいることを特徴とする請求項１３７記載の方法。
【請求項１４０】
前記配置する行為が、前記ＬＥＤシステムと前記面の間に、スライドを配置する行為を含んでいることを特徴とする請求項１３７記載の方法。
【請求項１４１】
前記配置する行為が、前記ＬＥＤシステムと前記面の間に、液晶ディスプレイを配置する行為を含んでいることを特徴とする請求項１３７記載の方法。
【請求項１４２】
前記配置する行為が、前記ＬＥＤシステムと、床、歩道、壁または天井のうちの少なくとも１つとの間に、物体を配置する行為を含んでいることを特徴とする請求項１３７記載の方法。
【請求項１４３】
前記配置する行為が、前記ＬＥＤシステムと平らでない面の間に物体を配置する行為を含んでいることを特徴とする請求項１３７記載の方法。
【請求項１４４】
前記配置する行為が、前記ＬＥＤシステムと雲の間に物体を配置する行為を含んでいることを特徴とする請求項１３７記載の方法。
【請求項１４５】
レンズを通して前記光を伝播させる行為をさらに含むことを特徴とする請求項１３７記載の方法。
【請求項１４６】
前記配置する行為が、前記ＬＥＤシステムと、スクリーンまたは布地のうちの少なくとも１つとの間に、物体を配置する行為を含むことを特徴とする請求項１３７記載の方法。
【請求項１４７】
前記発生させられた光が、時間に伴って色を変えることを特徴とする請求項１３７記載の方法。
【請求項１４８】
前記発生させられた光が、一定の色を保つことを特徴とする請求項１３７記載の方法。
【請求項１４９】
前記配置する行為が、前記ＬＥＤシステムと前記面の間に、マイクロミラー装置を配置する行為を含んでいることを特徴とする請求項１３７記載の方法。
【請求項１５０】
電源端子と、
前記電源端子に連結されたＬＥＤシステムと、
各ＬＥＤに連結され、活動化信号に反応できる入力部を有する電流シンク、
変更可能なアドレスを有しており、前記入力部に接続されており、計時サイクルの予め定められたある一部の時間に渡って前記活動化信号を発生させる信号発生器を有している、アドレス指定可能な制御装置と、
前記変更可能なアドレスに対応するデータでありかつ前記計時サイクルの前記予め定められた一部の時間を指し示すデータを受信するために、前記アドレス指定可能な制御装置に連結された受信部と、
前記ＬＥＤシステムにより発生させられた光により照明される、不透明でない物質を収容している不透明でない容器
を含むことを特徴とする、容器を照明する方法。
【請求項１５１】
電源端子と、
前記電源端子に連結されたＬＥＤシステムと、
各ＬＥＤに連結され、活動化信号に反応できる入力部を有する電流シンク、
変更可能なアドレスを有しており、前記入力部に接続されており、計時サイクルの予め定められたある一部の時間に渡って前記活動化信号を発生させる信号発生器を有している、アドレス指定可能な制御装置と、
前記変更可能なアドレスに対応するデータでありかつ前記計時サイクルの前記予め定められた一部の時間を指し示すデータを受信するために、前記アドレス指定可能な制御装置に連結された受信部と、
前記ＬＥＤシステムにより発生させられた光により照明される自動販売機
を含むことを特徴とする、自動販売機を照明する方法。
【請求項１５２】
２つ以上の色を含む小売用表示体であって、前記表示体を照明する光の色が変化させられた際に、前記表示体が動作するかのような錯覚を見る人に知覚させられるようにデザインされた小売用表示体。
【請求項１５３】
２つ以上の色を含む小売用表示体であって、前記表示体を照明する光の色が変化させられた際に、前記表示体の色の変化を見る人に知覚させられるようにデザインされた小売用表示体。
【請求項１５４】
マイクロプロセッサーにより制御されるＬＥＤシステムを備えたことを特徴とする衣料製品。
【請求項１５５】
センサーをさらに備えたことを特徴とする請求項１５４記載の衣料製品。
【請求項１５６】
データの記録および前記記録されたデータの再生を行う機能を有することを特徴とする請求項１５５記載の衣料製品。
【請求項１５７】
外部の送信装置から送信されたデータのための受信部をさらに備えたことを特徴とする請求項１５４記載の衣料製品。
【請求項１５８】
前記ＬＥＤシステムがビデオ画像を表示する機能を有していることを特徴とする請求項１５４記載の衣料製品。
【請求項１５９】
前記ＬＥＤシステムが、プログラミング可能な画像を表示する機能を有していることを特徴とする請求項１５４記載の衣料製品。
【請求項１６０】
材料照射用システムであって、
スペクトル内のある領域の色を発生させるＬＥＤシステムと、
前記ＬＥＤシステムに供給される特定量の電流により前記スペクトル内の対応する色が発生させられるように、前記ＬＥＤシステムに供給される電流量を制御する処理装置と、
前記材料とある空間的関係にある位置であって、前記ＬＥＤシステムが前記材料に照射を行う位置に、前記ＬＥＤシステムを配置する機能を有する配置システム
を備えたことを特徴とするシステム。
【請求項１６１】
前記処理装置が、前記材料のある特色を示す信号に反応できることを特徴とする請求項１６０記載のシステム。
【請求項１６２】
前記配置システムが、操作者の身体の一部により命令されることが可能であることを特徴とする請求項１６０記載のシステム。
【請求項１６３】
前記配置システムが遠隔制御システムを備えていることを特徴とする請求項１６０記載のシステム。
【請求項１６４】
ロボット視覚システムを備えたことを特徴とする請求項１６０記載のシステム。
【請求項１６５】
材料に照射を行う方法であって、
スペクトル内のある領域の色を発生させるＬＥＤシステムを提供し、
前記ＬＥＤシステムに供給される特定量の電流により前記スペクトル内の対応する色の光が発生させられるように、前記ＬＥＤシステムに供給される電流量を制御する処理装置を提供し、
前記材料とある空間的関係にある位置であって、前記ＬＥＤシステムが前記材料に照射を行う位置に、前記ＬＥＤシステムを配置し、
前記ＬＥＤシステムから前記光を発生させる
各工程を含むことを特徴とする方法。
【請求項１６６】
前記材料の画像を記録するのに適した画像把握システムを提供する工程を含むことを特徴とする請求項１６５記載の方法。
【請求項１６７】
前記材料に照射される前記スペクトル内の色の前記領域を決定し、
前記スペクトル内の前記対応する色が発生させられるように、前記ＬＥＤシステムを制御する
各工程を含むことを特徴とする請求項１６５記載の方法。
【請求項１６８】
前記材料が生物的実体を含んでいることを特徴とする請求項１６５記載の方法。
【請求項１６９】
前記生物的実体が、生きている生物を含んでいることを特徴とする請求項１６８記載の方法。
【請求項１７０】
前記材料中において作り出されるべき照射条件を選択し、
前記ＬＥＤシステムにより発生させられたある領域の色を前記材料に照射し、
前記ＬＥＤシステムにより発生させられた前記領域の色から、前記材料中において前記照射条件を作り出すことのできる色の組を選択する
各工程を含むことを特徴とする請求項１６５記載の方法。
【請求項１７１】
前記色の組を前記材料に照射する工程を含むことを特徴とする請求項１７０記載の方法。
【請求項１７２】
材料を評価する方法であって、
前記材料のある領域を評価のために選択し、
ＬＥＤシステムにより前記材料の前記領域に照射を行い、
色および強度を含む群より選択される、前記領域から反射された光の少なくとも１つの特性を断定し、
前記領域から反射された前記光の前記特性を、前記材料のある特色を示す既知の光パラメターの組と比較する
各工程を含むことを特徴とする方法。
【請求項１７３】
前記既知の光パラメターの組が、前記材料の異常な特色を示していることを特徴とする請求項１７２記載の方法。
【請求項１７４】
前記材料が生物的実体を含んでいることを特徴とする請求項１７２記載の方法。
【請求項１７５】
身体の一部分に照射を行うためのシステムであって、
電源と、
前記電源に接続された、前記身体の器官に照射を行うのに適したＬＥＤシステムと、
前記身体の一部分の近傍の位置であって前記ＬＥＤシステムが前記身体の一部分に照射を行う位置に、前記ＬＥＤシステムを配置するのに適した医療器具と、
前記ＬＥＤシステムを制御するマイクロプロセッサー
を備えたことを特徴とするシステム。
【請求項１７６】
前記マイクロプロセッサーが、前記身体の一部分のある特色を示す信号に反応できることを特徴とする請求項１７５記載のシステム。
【請求項１７７】
前記身体の一部分の前記特色が、構造に関するある状態であることを特徴とする請求項１７６記載のシステム。
【請求項１７８】
前記身体の一部分が生きている状態で、前記身体の一部分に照射が行われることを特徴とする請求項１７５記載のシステム。
【請求項１７９】
前記身体の一部が管腔部を含んでいることを特徴とする請求項１７５記載のシステム。
【請求項１８０】
前記医療器具が、身体の腔部内に挿入されるのに適したものであることを特徴とする請求項１７５記載のシステム。
【請求項１８１】
身体の一部分の状態を診療する方法であって、
前記身体の一部分のある領域を評価のために選択し、
ＬＥＤシステムにより前記身体の一部分の前記領域に照射を行い、
色および強度を含む群より選択される、前記領域から反射された光の少なくとも１つの特性を断定し、
前記領域から反射された前記光の前記特性を、前記身体の一部分の前記状態を示す既知の光パラメターの組と比較する
各工程を含むことを特徴とする方法。
【請求項１８２】
前記既知の光パラメターの組が、前記身体の一部分の疾病状態を示していることを特徴とする請求項１８１記載の方法。
【請求項１８３】
患者に薬剤を投与する工程をさらに含み、
前記薬剤が前記身体の一部分に届けられ、
それによって前記薬剤が、前記身体の一部分の前記領域から反射される前記光の前記特性を変化させることを特徴とする請求項１８１記載の方法。
【請求項１８４】
材料に変化をもたらす方法であって、
スペクトル内のある領域の色を発生させるＬＥＤシステムを提供し、
前記領域の色から、前記材料に前記変化をもたらすことができる色の組を選択し、
前記変化をもたらす効果がある予め定められた時間に渡って、前記ＬＥＤシステムによって前記材料に照射を行う
各工程を含むことを特徴とする方法。
【請求項１８５】
前記材料が生物的実体を含んでいることを特徴とする請求項１８４記載の方法。
【請求項１８６】
前記生物的実体が、生きている生物を含んでいることを特徴とする請求項１８５記載の方法。
【請求項１８７】
前記生きている生物が脊椎動物であることを特徴とする請求項１８６記載の方法。
【請求項１８８】
前記生きている生物の周辺環境に照射を行う工程を含むことを特徴とする請求項１８６記載の方法。
【請求項１８９】
患者の状態を治療する方法であって、
スペクトル内のある領域の色を発生させるＬＥＤシステムを提供し、
前記領域の色から、前記患者に治療効果をもたらすことができる色の組を選択し、
前記治療効果をもたらす効果がある予め定められた時間に渡って、前記患者のある領域に前記色の組を照射する
各工程を含むことを特徴とする方法。
【請求項１９０】
前記患者の前記領域が、前記患者の露出表面部を含んでいることを特徴とする請求項１８９記載の方法。
【請求項１９１】
前記患者の前記領域が、前記患者の身体の一部分を含んでいることを特徴とする請求項１８９記載の方法。
【請求項１９２】
患者に薬剤を投与する工程をさらに含み、
前記薬剤が前記患者の前記領域に届けられ、
それによって前記薬剤が、前記患者の前記領域に前記色の組を照射することによって達成される前記治療効果を、変化させることを特徴とする請求項１８９記載の方法。
【請求項１９３】
電源端子と、
ＬＥＤシステムと、
前記ＬＥＤシステムに連結された電流シンクであって、前記電流シンクを通過する電流の流れを活動化させる活動化信号に反応できる入力部を備えている電流シンクと、
変更可能なアドレスを有しており、前記入力部に接続されており、計時サイクルの予め定められたある一部の時間に渡って前記活動化信号を発生させるタイマーを有している、アドレス指定可能な制御装置であって、前記変更可能なアドレスに対応し、かつ前記計時サイクルの前記予め定められた一部の時間を指し示すデータ受信部をさらに備えたアドレス指定可能な制御装置と、
ある材料とある空間的関係にある位置であって、前記ＬＥＤシステムが前記材料に照射を行う位置に、前記ＬＥＤシステムを配置する機能を有する配置システム
を備えたことを特徴とする照明システム。
【請求項１９４】
組合せ信号を復号化するデコーダと、
前記組合せ信号の一部を、前記組合せ信号の前記一部からある照明状態を発生させる機能を有する照明源に伝達する接続
を備えたことを特徴とする照明信号のための信号処理システム。
【請求項１９５】
照明制御信号と第二の信号とから、コード化により前記組合せ信号を生成するエンコーダをさらに備えたことを特徴とする請求項１９４記載の信号処理システム。
【請求項１９６】
前記エンコーダがマルチプレクサーを含んでいることを特徴とする請求項１９５記載の信号処理システム。
【請求項１９７】
前記エンコーダが同期検出器を含んでいることを特徴とする請求項１９５記載の信号処理システム。
【請求項１９８】
前記エンコーダが時限および制御用の回路を含んでいることを特徴とする請求項１９５記載の信号処理システム。
【請求項１９９】
前記組合せ信号が、ビデオ信号、電波信号、電気信号、赤外線信号、音響信号、音声信号および光信号のうちの少なくとも１つを含んでいることを特徴とする請求項１９４記載の信号処理システム。
【請求項２００】
前記組合せ信号が娯楽用の信号を含んでいることを特徴とする請求項１９４記載の信号処理システム。
【請求項２０１】
前記組合せ信号が情報信号を含んでいることを特徴とする請求項１９４記載の信号処理システム。
【請求項２０２】
前記組合せ信号が教育用の信号を含んでいることを特徴とする請求項１９４記載の信号処理システム。
【請求項２０３】
前記エンコーダから前記デコーダへ前記組合せ信号を伝達する接続をさらに備えたことを特徴とする請求項１９５記載の信号処理システム。
【請求項２０４】
前記接続が同報送信を含んでいることを特徴とする請求項２０３記載の信号処理システム。
【請求項２０５】
前記接続が電気回路を含んでいることを特徴とする請求項２０３記載の信号処理システム。
【請求項２０６】
前記接続がデータトラックを含んでいることを特徴とする請求項２０３記載の信号処理システム。
【請求項２０７】
前記接続がデータバスを含んでいることを特徴とする請求項２０３記載の信号処理システム。
【請求項２０８】
前記接続が電波送信部および受信部を含んでいることを特徴とする請求項２０３記載の信号処理システム。
【請求項２０９】
前記接続が赤外線送信部および受信部を含んでいることを特徴とする請求項２０３記載の信号処理システム。
【請求項２１０】
前記接続がネットワークを含んでいることを特徴とする請求項２０３記載の信号処理システム。
【請求項２１１】
前記接続がケーブルを含んでいることを特徴とする請求項２０３記載の信号処理システム。
【請求項２１２】
前記照明源以外の他の装置と、
前記組合せ信号の一部を前記他の装置に伝達する接続
をさらに備えたことを特徴とする請求項１９４記載の信号処理システム。
【請求項２１３】
前記他の装置が娯楽用装置であることを特徴とする請求項２１２記載の信号処理システム。
【請求項２１４】
前記他の装置が、テレビ、コンピュータ、ＣＤプレーヤー、ステレオ、ラジオ、ドルビー方式デジタルプレーヤー、ビデオカセットプレーヤー、ＤＶＤプレーヤー、玩具、ＣＤ−ＲＯＭドライブ、フィルム投影機、サラウンド音響システム、ドルビー方式音響システム、ＴＨＸ音響システムおよびテーププレーヤーのうちの少なくとも１つであることを特徴とする請求項２１２記載の信号処理システム。
【請求項２１５】
前記接続が、回路、ネットワーク、データバス、ケーブル、ワイヤー、電波送信部および受信部、赤外線送信部および受信部、同報送信部および受信部、光送信部および受信部、音響送信部および受信部、マイクロ波送信部および受信部、および回路のうちの少なくとも１つであることを特徴とする請求項２１２記載の信号処理システム。
【請求項２１６】
前記組合せ信号の前記一部を分離する分波器をさらに備えたことを特徴とする請求項２１２記載の信号処理システム。
【請求項２１７】
前記デコーダが、同期検出器、時限および制御用の回路、およびシフトレジスタのうちの少なくとも１つを含んでいることを特徴とする請求項１９４記載の信号処理システム。
【請求項２１８】
前記第二の信号を発生させる信号発生器と、
前記照明源のために前記照明制御信号を発生させる照明制御ドライバ
をさらに備えたことを特徴とする請求項１９５記載の信号処理システム。
【請求項２１９】
前記照明源が、前記照明制御信号に反応して前記照明源が発生させた前記照明の色および強度のうち少なくとも一方を変化させるためにマイクロプロセッサーで制御されている、ＬＥＤシステムを含んでいることを特徴とする請求項２１８記載の信号処理システム。
【請求項２２０】
組合せ信号から照明制御信号を復号化し、
前記照明制御信号を、前記照明制御信号からある照明状態を発生させる機能を有する照明源に伝達する
各行為を含むことを特徴とする照明信号のための信号処理方法。
【請求項２２１】
前記照明制御信号部分を、第二の信号によりコード化して、前記組合せ信号を提供する行為をさらに含むことを特徴とする請求項２２０記載の信号処理方法。
【請求項２２２】
前記エンコーダがマルチプレクサーを含んでいることを特徴とする請求項２２１記載の信号処理方法。
【請求項２２３】
前記エンコーダが同期検出器を含んでいることを特徴とする請求項２２１記載の信号処理方法。
【請求項２２４】
前記エンコーダが時限および制御用の回路を含んでいることを特徴とする請求項２２１記載の信号処理方法。
【請求項２２５】
前記組合せ信号が、ビデオ信号、電波信号、電気信号、赤外線信号、音響信号、音声信号および光信号のうちの少なくとも１つを含んでいることを特徴とする請求項２２０記載の信号処理方法。
【請求項２２６】
前記組合せ信号が娯楽用の信号を含んでいることを特徴とする請求項２２０記載の信号処理方法。
【請求項２２７】
前記組合せ信号が情報信号を含んでいることを特徴とする請求項２２０記載の信号処理方法。
【請求項２２８】
前記組合せ信号が教育用の信号を含んでいることを特徴とする請求項２２０記載の信号処理方法。
【請求項２２９】
コード化された信号を前記デコーダへ伝達する行為をさらに含むことを特徴とする請求項２２１記載の信号処理方法。
【請求項２３０】
前記コード化された信号を伝達する行為が、同報送信、ビデオ送信、電気回路送信、データ送信、パケット送信、データバス送信、電波送信、赤外線送信、音響送信、光送信、ネットワーク送信、ケーブル送信およびマイクロ波送信のうちの少なくとも１つを含むことを特徴とする請求項２２９記載の信号処理方法。
【請求項２３１】
前記照明源以外の他の装置を提供し、
前記組合せ信号の一部を前記他の装置に伝達する
各行為をさらに含むことを特徴とする請求項２２０記載の信号処理方法。
【請求項２３２】
前記他の装置が娯楽用装置であることを特徴とする請求項２３１記載の信号処理方法。
【請求項２３３】
前記他の装置が、テレビ、コンピュータ、ＣＤプレーヤー、ステレオ、ラジオ、ドルビー方式デジタルプレーヤー、ビデオカセットプレーヤー、ＤＶＤプレーヤー、ポケットベル、防犯バッジ、ＣＤ−ＲＯＭドライブ、フィルム投影機、サラウンド音響システム、ドルビー方式音響システム、ＴＨＸ音響システムおよびテーププレーヤーのうちの少なくとも１つであることを特徴とする請求項２３１記載の信号処理方法。
【請求項２３４】
前記信号を前記他の装置に伝達する前記行為が、回路、ネットワーク、データバス、ケーブル、ワイヤー、電波送信部および受信部、赤外線送信部および受信部、同報送信部および受信部、光送信部および受信部、音響送信部および受信部、マイクロ波送信部および受信部、および回路のうちの少なくとも１つを提供する行為を含んでいることを特徴とする請求項２３１記載の信号処理方法。
【請求項２３５】
前記照明制御信号から前記第二の信号を分離する行為をさらに含むことを特徴とする請求項２３１記載の信号処理方法。
【請求項２３６】
前記復号化する行為が、同期検出器、時限および制御用の回路、およびシフトレジスタのうちの少なくとも１つを提供する行為を含むことを特徴とする請求項２２０記載の信号処理方法。
【請求項２３７】
前記第二の信号を発生させる信号発生器を提供し、
前記照明源のために前記照明制御信号を発生させる照明制御ドライバを提供する
各行為をさらに含むことを特徴とする請求項２２１記載の信号処理方法。
【請求項２３８】
前記照明源を提供する行為が、前記照明制御信号に反応して前記照明源が発生させた前記照明の色および強度のうち少なくとも一方を変化させるためにマイクロプロセッサーで制御されている、ＬＥＤシステムを提供する行為を含んでいることを特徴とする請求項２２０記載の信号処理方法。
【請求項２３９】
照明源であって、制御信号に反応して前記照明源が発生させた照明の色および強度のうち少なくとも一方を変化させるためにマイクロプロセッサーで制御されているＬＥＤシステムを、含んでいる照明源と、
制御信号を受信するための、前記照明源の受信部と、
ビデオ信号、音響信号およびデータパケットのうちの少なくとも１つである娯楽用信号を発生させる、娯楽用信号発生器と、
前記娯楽用信号を使用して娯楽を提供する娯楽用装置であって、テレビ、コンピュータ、ＣＤプレーヤー、ステレオ、ラジオ、ビデオカセットプレーヤー、ＤＶＤプレーヤー、ＣＤ−ＲＯＭドライブ、フィルム投影機、サラウンド音響システム、ドルビー方式音響システム、ＴＨＸ音響システムおよびテーププレーヤーのうちの少なくとも１つである娯楽用装置と、
前記照明源のために前記制御信号を発生させる照明制御ドライバーと、
前記制御信号を、前記娯楽用信号によりコード化するエンコーダと、
前記コード化された信号を、前記照明源と前記娯楽用装置のうちの少なくとも１つの場所へ伝達するための接続と、
前記コード化された信号から前記制御信号を復号化するデコーダと、
前記娯楽用信号を前記娯楽用装置へ伝達するための接続と、
前記制御信号を、前記照明源の前記受信部へ伝達するための接続
を備えたことを特徴とする娯楽用システム。
【請求項２４０】
照明制御信号を受信するための入力部と、
第二の信号を受信するための入力部と、
前記照明制御信号を前記第二の信号と組み合わせるための、時限および制御用の回路
を備えたことを特徴とする、照明信号の信号処理システムのためのエンコーダ。
【請求項２４１】
前記時限および制御用の回路を始動させるための同期検出器をさらに備えたことを特徴とする請求項２４０記載のエンコーダ。
【請求項２４２】
前記照明制御信号を前記第二の信号と組み合わせるためのマルチプレクサーをさらに備えたことを特徴とする請求項２４０記載のエンコーダ。
【請求項２４３】
ある装置に電力を供給する方法であって、
データ信号を提供し、
前記装置に電力を供給するために、前記データ信号から電力を抽出する
各工程を含むことを特徴とする方法。
【請求項２４４】
前記装置が、前記データ信号に反応する装置であることを特徴とする請求項２４３記載の方法。
【請求項２４５】
前記データ信号が、少なくとも２つの状態間で変化することを特徴とする請求項２４３記載の方法。
【請求項２４６】
前記２つの状態が、デジタル形式のデータ状態を表していることを特徴とする請求項２４５記載の方法。
【請求項２４７】
前記データ信号が、ＲＳ−４８５に従う装置用の信号であることを特徴とする請求項２４３記載の方法。
【請求項２４８】
前記データ信号が、ＤＭＸ−５１２プロトコルに従う信号であることを特徴とする請求項２４３記載の方法。
【請求項２４９】
前記装置がＲＳ−４８５に従う装置であることを特徴とする請求項２４３記載の方法。
【請求項２５０】
前記装置が、前記装置を前記データ信号に基づいて制御するための処理装置を含んでいることを特徴とする請求項２４３記載の方法。
【請求項２５１】
前記装置がライト・モジュールであることを特徴とする請求項２４３記載の方法。
【請求項２５２】
前記ライト・モジュールが、共に前記データ信号に反応できる処理装置とＬＥＤシステムを含んでいることを特徴とする請求項２５１記載の方法。
【請求項２５３】
ある装置に電力を供給するシステムであって、
信号発生器と、
前記装置に電力を供給するために、前記信号から電力を抽出する抽出器
を備えたことを特徴とするシステム。
【請求項２５４】
前記装置が、前記データ信号に反応する装置であることを特徴とする請求項２５３記載のシステム。
【請求項２５５】
前記データ信号が、少なくとも２つの状態間で変化することを特徴とする請求項２５３記載のシステム。
【請求項２５６】
前記２つの状態が、デジタル形式のデータ状態を表していることを特徴とする請求項２５５記載のシステム。
【請求項２５７】
前記データ信号が、ＲＳ−４８５に従う装置用の信号であることを特徴とする請求項２５３記載のシステム。
【請求項２５８】
前記データ信号が、ＤＭＸ−５１２プロトコルに従う信号であることを特徴とする請求項２５３記載のシステム。
【請求項２５９】
前記装置がＲＳ−４８５に従う装置であることを特徴とする請求項２５３記載のシステム。
【請求項２６０】
前記装置が、前記装置を前記データ信号に基づいて制御するための処理装置を含んでいることを特徴とする請求項２５３記載のシステム。
【請求項２６１】
前記装置がライト・モジュールであることを特徴とする請求項２５３記載のシステム。
【請求項２６２】
前記ライト・モジュールが、共に前記データ信号に反応する処理装置とＬＥＤシステムを含んでいることを特徴とする請求項２６１記載のシステム。
【請求項２６３】
デジタルデータに反応可能な装置を制御する方法であって、
ＲＳ−４８５に従う電子装置であって、前記装置をデータ信号に基づいて制御するための処理装置を含んでいる電子装置を提供し、
前記装置の制御のために、デジタル形式のデータ状態を表す少なくとも２つの状態の間で変化するデータ信号を提供し、
前記データ信号からの電力で前記装置に電力を供給する、電力／データ・マルチプレクサーを提供する
各工程を含むことを特徴とする方法。
【請求項２６４】
収容部と、
前記収容部内に配された照明源と、
前記収容部内に配された、前記照明源を制御するための処理装置
を備えたことを特徴とする電球。
【請求項２６５】
前記収容部が、従来型のライト固定物に適合するように構成されていることを特徴とする請求項２６４記載の電球。
【請求項２６６】
前記照明源がＬＥＤシステムであることを特徴とする請求項２６４記載の電球。
【請求項２６７】
前記処理装置が、前記照明源の強度を制御することを特徴とする請求項２６４記載の電球。
【請求項２６８】
前記処理装置が、前記照明源の色を制御することを特徴とする請求項２６４記載の電球。
【請求項２６９】
信号を受信するための受信部をさらに備えたことを特徴とする請求項２６４記載の電球。
【請求項２７０】
前記信号が、赤外線信号、光信号、電気信号、電波信号および音響信号から成る群より選択され、前記処理装置が前記信号に反応できることを特徴とする請求項２６９記載の電球。
【請求項２７１】
信号を送信するための送信部をさらに備えたことを特徴とする請求項２６４記載の電球。
【請求項２７２】
前記信号が、赤外線信号、光信号、電気信号、電波信号および音響信号から成る群より選択されることを特徴とする請求項２７１記載の電球。
【請求項２７３】
前記信号が、前記電球の外部の装置に対するインターフェースを提供することを特徴とする請求項２７１記載の電球。
【請求項２７４】
前記外部の装置が別の電球であることを特徴とする請求項２７３記載の電球。
【請求項２７５】
前記外部の装置が、前記照明源に命令を与える装置であることを特徴とする請求項２７３記載の電球。
【請求項２７６】
前記外部の装置が、モーター、テレビ、防犯システム、ビデオカセットレコーダー、リモコン、手持型パソコン、ビデオカセットプレーヤー、ディスクプレーヤー、受信器、ステレオ、ターンテーブル、パソコン、マイクロプロセッサー、ネットワーク、ポケットベル、防犯バッジ、ウェブ・テレビジョン、警報システム、サーバー、電話、ディスクドライブ、ノート型コンピュータ、電子レンジ、オーブン、警報器、時計、ラジオ、テーププレーヤーおよびテープレコーダーのうちの少なくとも１つであることを特徴とする請求項２７３記載の電球。
【請求項２７７】
前記収容部内に配されたメモリー部をさらに備えたことを特徴とする請求項２７３記載の電球。
【請求項２７８】
前記メモリー部が、前記照明源を制御するためのプログラムを格納していることを特徴とする請求項２７７記載の電球。
【請求項２７９】
前記メモリー部が、前記電球の外部の装置に対するインターフェースのためのプログラムを格納していることを特徴とする請求項２７７記載の電球。
【請求項２８０】
前記外部の装置が、モーター、テレビ、防犯システム、ビデオカセットレコーダー、ビデオカセットプレーヤー、ディスクプレーヤー、リモコン、手持型パソコン、受信器、ステレオ、ターンテーブル、パソコン、マイクロプロセッサー、ウェブ・テレビジョン、警報システム、サーバー、電話、ディスクドライブ、ノート型コンピュータ、電子レンジ、オーブン、警報器、時計、ラジオ、テーププレーヤーおよびテープレコーダーのうちの少なくとも１つであることを特徴とする請求項２７９記載の電球。
【請求項２８１】
従来型のライト固定物に適合するように構成された収容部と、
前記収容部内に配置された、発光ダイオードである照明源と、
前記収容部内に配置された、前記照明源の強度と色のうちの少なくとも一方を制御する処理装置と、
前記収容部内に配置された、前記照明源を制御するためのプログラムと外部装置に対するインターフェースのためのプログラムのうちの少なくとも一方を格納するメモリー部
を備えたことを特徴とする電球。
【請求項２８２】
第一の信号を受信するための受信部と、
第二の信号を送信するための送信部を備え、
前記第一の信号と前記第二の信号の各々が、赤外線信号、光信号、電気信号、電波信号および音響信号から成る群より選択され、
前記処理装置が、前記信号を制御するか、前記信号に反応できるかのうち、少なくとも一方の特徴を有する
ことを特徴とする請求項２８１記載の電球。
【請求項２８３】
前記第一の信号と前記第二の信号のうちの少なくとも一方が前記外部装置に対するインターフェースであり、前記外部装置が、電球、ライト固定物、ポケットベル、防犯バッジ、モーター、リモコン、手持型パソコン、テレビ、防犯システム、ビデオカセットレコーダー、ビデオカセットプレーヤー、ディスクプレーヤー、受信器、ステレオ、ターンテーブル、パソコン、マイクロプロセッサー、ネットワーク、ウェブ・テレビジョン、警報システム、サーバー、電話、ディスクドライブ、ノート型コンピュータ、ネットワーク・コンピュータ、電子レンジ、オーブン、警報器、時計、ラジオ、テーププレーヤーおよびテープレコーダーから成る群より選択されることを特徴とする請求項２８２記載の電球。
【請求項２８４】
収容部を提供し、
従来型のライト固定物に適合するように前記収容部を構成し、
前記収容部内に照明源を配し、
前記照明源の強度および色のうちの少なくとも一方を制御するために、前記収容部内に処理装置を配し、
前記照明源と、外部装置に対するインターフェースのためのプログラムを制御するために、前記収容部内にメモリー部を提供する
各工程を含むことを特徴とする、電球を提供する方法。
【請求項２８５】
第一の信号を受信するための受信部を提供し、
第二の信号を送信するための送信部を提供する各工程をさらに含み、
前記第一の信号と前記第二の信号の各々が、赤外線信号、光信号、電気信号、電波信号および音響信号から成る群より選択され、
前記処理装置が、前記信号を制御するか、前記信号に反応できるかのうち、少なくとも一方の特徴を有する
ことを特徴とする請求項２８４記載の方法。
【請求項２８６】
前記第一の信号と前記第二の信号のうちの少なくとも一方が前記外部装置に対するインターフェースであり、前記外部装置が、電球、ライト固定物、ポケットベル、防犯バッジ、モーター、リモコン、手持型パソコン、テレビ、防犯システム、ビデオカセットレコーダー、ビデオカセットプレーヤー、ディスクプレーヤー、受信器、ステレオ、ターンテーブル、パソコン、マイクロプロセッサー、ネットワーク、ウェブ・テレビジョン、警報システム、サーバー、電話、ディスクドライブ、ノート型コンピュータ、ネットワーク・コンピュータ、電子レンジ、オーブン、警報器、時計、ラジオ、テーププレーヤーおよびテープレコーダーから成る群より選択されることを特徴とする請求項２８５記載の方法。
【請求項２８７】
複数の伝導ワイヤーを有するトラックと、
スルーされたデータを前記トラックに伝達するためのドライバー
を備えたことを特徴とするデータ伝達システム。
【請求項２８８】
収容部と、
前記収容部上に配され、前記トラックに接続された複数の装置
をさらに備えたことを特徴とする請求項２８７記載のシステム。
【請求項２８９】
前記複数の装置がＲＳ−４８５規格に従うことを特徴とする請求項２８８記載のシステム。
【請求項２９０】
前記複数の装置が照明装置であることを特徴とする請求項２８８記載のシステム。
【請求項２９１】
前記複数の装置がＬＥＤシステムを含むことを特徴とする請求項２８８記載のシステム。
【請求項２９２】
前記ＬＥＤシステムが処理装置により制御されていることを特徴とする請求項２９１記載のシステム。
【請求項２９３】
前記ドライバーが、論理数１を表す状態と論理数０を表す状態との間における遷移信号を制御する機能を有することを特徴とする請求項２８７記載のシステム。
【請求項２９４】
前記トラック中の過剰エネルギーを吸収するための、前記トラック用の終止装置をさらに備えたことを特徴とする請求項２８７記載のシステム。
【請求項２９５】
前記終止装置が、ブリッジ整流回路を含んでいることを特徴とする請求項２９４記載のシステム。
【請求項２９６】
前記終止装置が、分巻レギュレータを含んでいることを特徴とする請求項２９４記載のシステム。
【請求項２９７】
前記トラックの電力導線と信号導線の双方と電気的に接続されたトラックヘッドを、さらに備えたことを特徴とする請求項２８７記載のシステム。
【請求項２９８】
複数の伝導ワイヤーを有するトラックと提供し、
スルーされたデータを前記トラックに伝達するためのドライバーを提供する
各工程を含むを特徴とする、データを伝達する方法。
【請求項２９９】
収容部を提供し、
複数の装置を前記収容部上に配し、
前記複数の装置を前記トラックに接続する
各工程をさらに含むことを特徴とする請求項２９８記載の方法。
【請求項３００】
前記複数の装置がＲＳ−４８５規格に従うことを特徴とする請求項２９９記載の方法。
【請求項３０１】
前記複数の装置が照明装置であることを特徴とする請求項２９９記載の方法。
【請求項３０２】
前記複数の装置がＬＥＤシステムを含むことを特徴とする請求項２９９記載の方法。
【請求項３０３】
前記ＬＥＤシステムをマイクロプロセッサーにより制御する工程をさらに含むことを特徴とする請求項３０２記載の方法。
【請求項３０４】
前記ドライバーを使用して、論理数１を表す状態と論理数０を表す状態との間における遷移信号を制御する工程をさらに含むことを特徴とする請求項２９９記載の方法。
【請求項３０５】
前記トラック中の過剰エネルギーを吸収するために、前記トラック用の終止装置を提供する工程をさらに含むことを特徴とする請求項２９９記載の方法。
【請求項３０６】
前記終止装置が、ブリッジ整流回路を含んでいることを特徴とする請求項３０５記載の方法。
【請求項３０７】
前記終止装置が、分巻レギュレータを含んでいることを特徴とする請求項３０５記載の方法。
【請求項３０８】
前記トラックの電力導線と信号導線の双方と電気的に接続されたトラックヘッドを提供する工程を、さらに備えたことを特徴とする請求項２９９記載の方法。
【請求項３０９】
複数の伝導ワイヤーを有するトラックと、
前記トラック用の収容部と、
前記トラックにデータを伝達するためのドライバーであって、論理数１を表す状態と論理数０を表す状態との間における遷移信号を制御する機能を有するドライバーと、
前記収容部上に配置され、前記トラックに接続され、ＲＳ−４８５規格に従う複数の装置であって、マイクロプロセッサーにより制御されるように設計されたＬＥＤシステムを含む、複数の装置
を備えたことを特徴とするデータ伝達システム。
【請求項３１０】
前記トラック中の過剰エネルギーを吸収するための、前記トラック用の終止装置をさらに備えたことを特徴とする請求項３０９記載のシステム。
【請求項３１１】
前記終止装置が、ブリッジ整流回路と分巻レギュレータのうちの少なくとも一方を含むことを特徴とする請求項３１０記載のシステム。
【請求項３１２】
トラックの電力導線と信号導線の双方と電気的に接続されたトラックヘッドを、さらに備えたことを特徴とする請求項３０９記載のシステム。
【請求項３１３】
ある環境中における照明方法であって、
モジュラーＬＥＤシステムを提供し、
前記ＬＥＤシステムを前記環境中に配置し、
少なくとも１つのＬＥＤに供給される特定量の電流によりスペクトル内の対応する色が発生させられるように、前記少なくとも１つのＬＥＤに供給される電流量を制御する
各工程を含むことを特徴とする方法。
【請求項３１４】
前記環境が天井を含み、前記配置工程が、前記天井の少なくとも１つの指定領域における照明を提供するために、ＬＥＤの幾何学形状のパネルを前記少なくとも１つの指定領域内に配置する工程を含むことを特徴とする請求項３１３記載の方法。
【請求項３１５】
前記環境が自動販売機を含み、前記配置工程が、前記自動販売機の前面表示部上の図案に対する照明を提供するために、ＬＥＤの幾何学形状のパネルを前記自動販売機の前記前面表示部の背後に配置する工程を含むことを特徴とする請求項３１３記載の方法。
【請求項３１６】
前記環境がフィッシング用ルアーを含み、前記配置工程が、前記フィッシング用ルアー上にＬＥＤシステムを配置する工程を含むことを特徴とする請求項３１３記載の方法。
【請求項３１７】
ＬＥＤシステムと、
処理装置と、
収容部と、
熱拡散板を備え、
前記収容部は熱発散型の収容部であり、
前記ＬＥＤシステムは前記熱拡散板と熱的に接続されている
ことを特徴とするライト・モジュール。
【請求項３１８】
前記熱的接続が熱伝導性ポリマーを含んでいることを特徴とする請求項３１７記載のライト・モジュール。
【発明の詳細な説明】
【０００１】
関連出願の説明
本出願は、以下の特許出願の全開示内容に基づいており、それらの全開示内容に対して特恵を主張するものであり、またそれらの全開示内容を参照により記載しているものとする：多色ＬＥＤ点灯方法および装置（ＰＣＴ出願、出願日１９９８年８月２６日、ＰＣＴ出願ＵＳ９８／１７７０２号）；デジタル制御される発光ダイオードのシステムおよび方法（米国仮特許出願第６０／０７１，２８１号、出願日１９９７年１２月１７日、発明者Ｇｅｏｒｇｅ　ＭｕｅｌｌｅｒおよびＩｈｏｒ　Ｌｙｓ）；知的多色点灯（米国仮特許出願第６０／０６８，７９２号、出願日１９９７年１２月２４日、発明者Ｇｅｏｒｇｅ　ＭｕｅｌｌｅｒおよびＩｈｏｒ　Ｌｙｓ）；デジタル点灯システム（米国仮特許出願第６０／０７８，８６１号、出願日１９９８年３月２０日、発明者Ｉｈｏｒ　Ｌｙｓ）；制御された照明のためのシステムおよび方法（米国仮特許出願第６０／０７９，２８５号、出願日１９９８年３月２５日、発明者Ｇｅｏｒｇｅ　ＭｕｅｌｌｅｒおよびＩｈｏｒ　Ｌｙｓ）；多数の同時発生する高速パルス幅変調信号をソフトウェアにより発生させる方法（米国仮特許出願第６０／０９０，９２０号、出願日１９９８年６月２６日、発明者Ｉｈｏｒ　Ｌｙｓ）；および本出願と同一日（１９９８年１２月１７日）に出願され、各々Ｇｅｏｒｇｅ　ＭｕｅｌｌｅｒおよびＩｈｏｒ　Ｌｙｓを発明者とし、出願番号が未定である、以下の名称の８出願：スマート電球；電力／データ・プロトコル；センサー／フィードバック形式の照明方法およびシステム；高精度照明方法およびシステム；娯楽用点灯システム；運動による照明システムおよび方法；照明要素；およびデータ伝達トラック。以上に加え、本明細書中で参照されている各米国特許および各米国特許出願についても、参照によりその全開示内容が本明細書に記載されているものとする。
【０００２】
関連技術の説明
回路中に配列された際、その回路からのインパルスを受けて、そのインパルスを光信号に変換する発光ダイオード（ＬＥＤ）が知られている。ＬＥＤはエネルギー効率が良く、ほとんど発熱せず、また寿命も長い。
【０００３】
ＬＥＤには多くの型が存在し、そうした型としては、空隙型ＬＥＤ、ＧａＡｓ発光ダイオード（従来の単一ダイオード・パッケージよりも高い信頼性を供するために、２つのダイオードがパッケージされて１つのユニットとされる場合もある）、ポリマーＬＥＤ、半導体ＬＥＤおよびその他の型が含まれる。現在利用されているほとんどのＬＥＤは赤色である。従来からのＬＥＤの用途としては、周辺光量の少ない環境における表示装置、例えばモデムその他のコンピュータ構成要素上の点滅灯や、腕時計のデジタル表示部等としての用途が含まれる。近年は、より長寿命の交通信号灯用の２次元アレイにおいて、改良されたＬＥＤが使用されている。スコアボードやその他の表示装置においても、ＬＥＤが使用されている。また、ＬＥＤは２次元アレイ状に配置されて、テレビ画面としても使用されている。ほとんどのＬＥＤは赤色、黄色あるいは白色であるが、いかなる色のＬＥＤも可能であり、さらには、単一のＬＥＤを、変化する電気信号に反応して色彩スペクトル上のいかなる色にも変化できるように作製することも可能である。
【０００４】
ある色の投射光と、別の色の投射光とを重ね合わせると、結果として第３の色を作り出せることは良く知られている。また、通常使用される３原色（赤、青および緑）を異なる割合で重ね合わせれば、可視スペクトル域内のほとんど全ての色を作り出すことが可能であることも、良く知られている。本発明は、異なる原色の光を発する、少なくとも２つの発光ダイオード（ＬＥＤ）からの投射光を重ね合わせることにより、上記の効果を利用する。本発明の目的に鑑み、上記の「原色」という用語は、重ね合わされることで別の色を作り出し得るあらゆる色を包含して指すと解釈されるべきである。
【０００５】
ＬＥＤを使用した点灯用のコンピュータ・ネットワークも知られている。Ｐｈａｒｅｓ氏に発行された米国特許５，４２０，５８２号には、そうしたネットワークの一種で、主として表示装置における使用を目的とし、異なる色のＬＥＤを使用して選択可能な１つの色を作り出すネットワークが記載されている。Ｈａｖｅｌ氏に発行された米国特許第４，８４５，４８１号は、多色表示装置のための技術である。Ｈａｖｅｌ氏は、パルス幅変調信号を使用して、それぞれのＬＥＤに特定のデューティ周期で電流を供給している。Ｂｒｏｗｎ氏に発行された米国特許第５，１８４，１１４号は、ＬＥＤ表示システムを開示したものである。Ｓｍｉｔｈ氏等に発行された米国特許第５，１３４，３８７号は、ＬＥＤ２次元配列画面のための技術である。
【０００６】
複数の個別のライトを繋ぐネットワークを、中央ドライバー（コンピュータ制御されたドライバーでもよい）で制御する照明システムが存在する。そうした照明システムとしては、舞台用点灯システムが含まれる。ＵＳＩＴＴ　ＤＭＸ−５１２プロトコルは、舞台用操作卓から一連の舞台用ライトに、データの流れを伝達するために開発された。
【０００７】
ＤＭＸ−５１２プロトコルは、元来、舞台用操作卓による舞台用調光器の制御を標準化するために作製された。ＤＭＸ−５１２プロトコルは、デジタル式多重点灯制御プロトコルで、５１２個の装置を制御できる信号を有しており、そうした制御可能な装置には、調光器、スクローラー、光量を変化させない継電器、移動灯のパラメター、あるいはコンピュータ化された仮想現実的セット中のグラフィック・ライトが含まれる。ＤＭＸ−５１２プロトコルは、複数の装置を繋ぐネットワークの制御のために利用されている。ＤＭＸ−５１２プロトコルは、デジタル式の信号コードを採用している。点灯操作卓等の送信装置がデジタル形式のコードを発信すると、調光器等の受信装置は、それらのコードを機能コマンド、例えば指定された水準まで光量を変化させるコマンドに変換する。デジタル形式のシステムにおいては、アナログ形式の制御と比較して、長いケーブル上を伝播する間に信号の完全性が損なわれる度合いが低い。コード化された０／１数字列が送信・受信されると、上記の装置は所望のタスクを実行する。
【０００８】
ハードウェアに関して言えば、ＤＭＸ−５１２プロトコルの情報は、ＲＳ−４８５ハードウェア・プロトコルを使用し、金属製のワイヤーを経由して装置間でやりとりされる。このためには、ツイストペアと呼ばれる２本のワイヤーを使用することが必要となる。第一のワイヤーは＋データワイヤー、第二のワイヤーは‐データワイヤーと呼ばれる。このラインに使用される電圧は、＋５Ｖが典型である。一例では、論理数１を送信する際には、＋データワイヤーは＋５Ｖ、‐データワイヤーは０Ｖとされる。論理数０を送信する際には、＋データワイヤーは０Ｖ、−データワイヤーは＋５Ｖとされる。これは、１本のワイヤーが常に０Ｖに維持される、より一般的なＲＳ−２３２インターフェースとは非常に異なる。ＲＳ−２３２においては、論理数１の送信は＋６Ｖから＋１２Ｖの間の電圧をラインに与えることによりなされ、論理数０の送信は−６Ｖから−１２Ｖの間の電圧をラインに与えることによりなされる。一般的にＲＳ−４８５は、ＲＳ−２３２よりもデータ送信に適している考えられている。ＲＳ−２３２においては、受信側で、入力電圧が正であるか負であるかを測定しなくてはならない。ＲＳ−４８５においては、受信側は、どちらのラインがより高い電圧を有しているかを判断するだけでよい。
【０００９】
発明の概要
本明細書では、従来の照明システムの欠点に関し、その多くを克服できるような照明方法およびシステムを提供する。複数の実施形態において、多色照明のための方法およびシステムが提供される。ある実施形態では、本発明は、高い性能と高速の色選択および色変化を実現できるコンピュータ制御された効率的な多色照明ネットワークを提供する、装置の形態をとっている。
【００１０】
簡潔に言うと、本明細書で開示されるのは、ある点灯アセンブリ、おそらくはＬＥＤシステムあるいはＬＥＤ点灯アセンブリのための電流制御技術であり、その電流制御技術とは、パルス幅変調（ＰＷＭ）電流制御技術でも良く、あるいは電流制御される各ユニットが唯一のものとしてアドレス指定可能となっており、かつそれらの各ユニットがコンピュータ点灯ネットワーク上で照明色に関する情報を受信することが可能となっているような、その他の形態の電流制御技術でも良い。本明細書中で使用される「電流制御技術」という用語は、ＰＷＭ電流制御、アナログ式電流制御、デジタル式電流制御、その他いかなる電流制御のための方法および装置をも含めて指すものとする。
【００１１】
本明細書中で使用される「ＬＥＤシステム」という用語は、電気的信号を受信でき、かつその信号に反応してある色の光を発生させられるシステムであれば、いかなるシステムをも含めて指すものとする。したがって、この「ＬＥＤシステム」という用語は、あらゆる型の発光ダイオード、発光ポリマー、電流に反応して光を発生させる半導体ダイ、有機ＬＥＤ、エレクトロルミネセンス板、およびその他の類似のシステムを含むものと解釈されるべきである。個別制御可能な複数の半導体ダイを有する単一の発光ダイオードを指して、「ＬＥＤシステム」と言っている実施形態もある。
【００１２】
ＬＥＤシステムは照明源の１つの型である。本明細書中で使用される「照明源」という用語は、ＬＥＤシステム、フィラメント灯を含む白熱光源、炎等の火炎発光光源、ガス・マントルや炭素アーチ放射源等の蝋燭による発光を利用した光源、気体放電を含む光ルミネセンス源、蛍光源、燐光源、レーザー、エレクトロルミネセンス灯等のエレクトロルミネセンス源、発光ダイオード、電子飽和を利用した陰極線ルミネセンス源、あるいはガルバノルミネセンス源、結晶ルミネセンス源、運動による発光を利用した光源、熱ルミネセンス源、摩擦ルミネセンス源、音ルミネセンス源、および電波ルミネセンス源を含む種々雑多の発光源を含めて、あらゆる照明源を含むものと解釈されるべきである。さらに、原色を発生させられる発光ポリマーも、照明源に含めることができる。
【００１３】
「照明を行う」という語は、照明源によりある放射周波数を発生させることを指すものと解釈されるべきである。「色」という語は、スペクトル中のあらゆる放射周波数をも含めて指すものと解釈されるべきである。すなわち、本明細書中で使用される「色」という語は、可視スペクトル域の周波数のみでなく、スペクトルの赤外域や紫外域、および電磁波のスペクトルにおける他の領域内の周波数をも含めて指すと解釈すべきである。
【００１４】
さらに別のある実施形態では、本発明は、複数の点灯ユニット（ノード）を繋ぐツリー型のネットワーク・コンフィグレーションを含んでいる。別の実施形態では、本発明は、点灯アセンブリを収容するための、熱伝導性材料から作られた熱発散型収容部を備えている。この熱発散型収容部内には、積み重ねられた２つの回路ボードが収められていて、これらのうち１つの回路ボードは電力供給モジュールを、もう１つの回路ボードはライト・モジュールをそれぞれ保持している。また別の実施形態では、ＬＥＤボードは、熱伝導性ポリマーおよび留め具を用いて、ＬＥＤボードとは分離された熱拡散板と熱的に接続されており、中央に金属部を有するＬＥＤボードと本質的に同等であるとみなすことができる。上記のライト・モジュールは、プログラミング可能な定格電流したがってプログラミング可能な定格最大光強度を有する、他のライト・モジュールと都合よく交換されるのに適している。そうした他のライト・モジュールとしては、従来型のＬＥＤに加え、有機ＬＥＤ、エレクトロルミネセンス板、およびその他のモジュールが含まれ得る。本発明の他の実施形態には、本明細書中に記載されている一般的原理を新しい形で応用している実施形態もある。
【００１５】
本明細書では、コンピュータ制御された高性能の多色点灯ネットワーク、おそらくはＬＥＤ点灯ネットワークが開示されている。本明細書ではまた、ノードの直鎖連結およびツリー型コンフィグレーションの双方が可能な、ＬＥＤ点灯ネットワークの構造が開示されている。本明細書ではまた、点灯ネットワークの点灯ユニットを収容するための熱発散型収容部が開示されている。本明細書ではまた、電流が制御されたＬＥＤ点灯装置であって、各々独立の定格最大電流を有し、かつ各々都合よく相互交換が可能な複数の点灯モジュールを含む装置が開示されている。本明細書ではまた、コンピュータにより電流制御がなされるＬＥＤ点灯アセンブリであって、連続的にプログラムすることが可能な２４ビット・スペクトルにおける多数の色を発することのできる一般的な照明装置として使用される点灯アセンブリが、開示されている。本明細書ではまた、それぞれが本発明における全般的なコンピュータによる電流制御原理を利用している、懐中電灯、傾斜計、温度計、一般の周辺環境指示器および電球が開示されている。本開示の他の局面は、以下の詳細な説明において明らかにする。
【００１６】
本発明は、デジタル制御されたＬＥＤベースのライトに関し、その応用例を提供する。本発明に係るシステムおよび方法は、照明技術が重要視される多くの技術分野における、上記のようなライトの使用を含んでいる。本発明に係るシステムおよび方法はまた、上記のようなライトを様々な異なる信号に反応させることが可能であるようなシステムを含んでいる。本発明に係るシステムおよび方法はまた、データや電力を分配するための、改良されたネットワークを含んでいる。
【００１７】
本発明に係るシステムおよび方法はまた、外観の美しさや機能的効果を提供するために、いくつかの項目の一部として、あるいはいくつかの項目の広い範囲に渡ってＬＥＤを使用することを含んでいる。本発明に係るデジタル制御された発光ダイオード（ＬＥＤ）は、多くの技術分野において発明に利用することが可能であり、そうした利用については、以下により詳細に説明する。
【００１８】
詳細な説明
本発明の実施形態である様々な方法およびシステムの構成および動作を、以下に説明する。本明細書の発明を実施する手段としては他にも多くの手段が存在すると解釈されるべきであり、本明細書中に記載されている実施形態は例示的な形態であって本発明を制限するものではない。
【００１９】
図１を参照すると、ライト・モジュール１００がブロック図の形式で描かれている。上記のライト・モジュール１００は、処理装置１６とＬＥＤシステム１２０という２つの要素を含んでおり、ＬＥＤシステム１２０は図１中では発光ダイオードの２次元アレイとして描かれている。本明細書中では、「処理装置」という語は、信号もしくはデータに反応して処理を行う方法またはシステムであれば、いかなる方法またはシステムをも含めて指す語として使用されており、マイクロプロセッサー、集積回路、コンピュータのソフトウェア、コンピュータのハードウェア、電気回路、特定用途向け集積回路、パソコン、チップ、および処理機能を提供できる他の装置を包含する語と解釈されるべきである。ＬＥＤシステム１２０は、処理装置１６により制御され、制御された照明を生み出している。特に、処理装置１６は、ＬＥＤシステム１２０中の、異なる色を有する個々のＬＥＤ、半導体ダイまたはそれらに類似の物を制御し、スペクトル上のいかなる色の照明をも生み出す。以下でより詳細に説明される、色の即時変化、ストロボおよびその他の効果は、図１に描かれたライト・モジュール１００のようなライト・モジュールによって発生させることができる。上記のライト・モジュール１００を、電力およびデータの受信を行えるものとすることも可能である。処理装置１６を通じて、上記のライト・モジュール１００を、本明細書において開示される本発明の様々な実施形態に帰する様々な機能を提供できるようなものとすることも可能である。
【００２０】
図２に移り、上記のライト・モジュール１００は、単独で使用するように構成することも、上記のライト・モジュール１００の組の一部として構成することも可能である。個々のライト・モジュール１００またはライト・モジュール１００の組は、１つ以上の外部装置、あるいは本発明の特定の実施形態においては他のライト・モジュール１００に繋がる、データ接続５００を付与されることが可能である。本明細書中で使用される「データ接続」という語は、ネットワーク、データバス、ワイヤー、送信器および受信器、回路、ビデオテープ、ＣＤ、ＤＶＤディスク、ビデオテープ、オーディオテープ、コンピュータ用テープ、カードまたはその他のような、いかなるデータ伝達システムをも包含するものと解釈されるべきである。したがって、データ接続は、電波、超音波、聴覚信号、赤外線、光、マイクロ波、レーザー、または電磁気信号を利用した方法またはシステム、あるいは他の送信または接続用の方法またはシステムによってデータを伝達する方法のシステムであれば、いかなるシステムをも含み得る。すなわち、電磁波のスペクトルまたはその他のエネルギー伝達機構のいかなる使用方法も、本明細書に開示されているようなデータ接続を提供することができる。本発明の実施形態においては、ライト・モジュール１００は、交信を容易にするために送信部、受信部あるいは双方を備えていても良く、処理装置１６は、従来の方式で交信能力を制御するようにプログラミングされていても良い。ライト・モジュール１００は、データ接続５００を介して送信部５０２からデータを受信することができ、この送信部５０２は、交信信号の従来型の送信器であっても、ライト・モジュール１００に接続された回路またはネットワークの一部であっても良い。すなわち、上記の送信部５０２は、ライト・モジュール１００にデータを送信する装置または方法であれば、いかなる装置または方法をも包含するものと解釈されるべきである。送信部５０２は、ライト・モジュール１００を制御するための制御データを発生させる制御装置５０４と接続されていても良く、あるいは制御装置５０４の一部であっても良い。本発明のある実施形態においては、制御装置５０４はノート型コンピュータ等のコンピュータである。上記の制御データは、ＬＥＤシステム１２０を制御するために、処理装置１６を制御するのに適した形式であれば、いかなる形式であっても良い。本発明の実施形態においては、上記の制御データはＤＭＸ−５１２プロトコルに従う形式とされており、ＤＭＸ−５１２形式の命令を生成する従来のソフトウェアが、ライト・モジュール１００を制御するための制御装置５０４として、ノート型コンピュータ上あるいはパソコン上で使用されている。ライト・モジュール１００が予めプログラムされた命令に従って独立方式で動作することを可能にするために、ライト・モジュール１００はまた、処理装置１６を制御するための命令を記憶するメモリー部を付与されていても良い。
【００２１】
図３に移ると、本発明の１つの実施形態におけるライト・モジュール１００の電気的な概略図が図示されている。図４および５は、上記のようなライト・モジュール１００の例示的な実施形態における、ＬＥＤ含有側と電気コネクタ側を図示したものである。１つの実施形態においては、ライト・モジュール１００は、類似構成のいかなるライト・モジュールとも交換可能な標準品として構成された自立型モジュールとして、構成されていても良い。ライト・モジュール１００は、一般的な型の１０ピン電気コネクタ１１０を含んでいる。本実施形態では、コネクタ１１０は、相補的な１０ピンコネクタの雌部分に嵌合されるのに適した、以下に説明される雄ピンを含んでいる。ピン１８０は電力供給ピンである。直流の電位源が、ピン１８０においてライト・モジュール１８０に接続される。ピン１８０は、発光ダイオード（ＬＥＤ）の組１２０、１４０および１６０の陽極端に電気的に接続されていて、各陽極端を一定の高電位に固定している。
【００２２】
ＬＥＤシステム１２０は、赤色ＬＥＤの組１２１、青色ＬＥＤの組１４０、および緑色ＬＥＤの組１６０を含んでいる。上記のＬＥＤは、例えばＮｉｃｈｉａ　Ａｍｅｒｉｃａ　Ｃｏｒｐｏｒａｔｉｏｎ社から入手できるＬＥＤのような、従来型のＬＥＤであっても良い。これらのＬＥＤの色は、予め選択された割合で重ね合わせられるとスペクトル上のいかなる色をも生み出すことができるという意味において、原色である。本発明においては、３原色の使用が好ましくはあるが、２原色のみを使用しても本発明はほぼ同様に機能し、スペクトル上の多様性に富む色を生み出せると解釈できるだろう。同様に、ここでは同一色のＬＥＤの組上に異なる原色が配されているが、複数の色を発する複数の半導体ダイを含む単一のＬＥＤを用いても、同様の効果が達成されると認められる。ＬＥＤの組１２１、１４０および１６０のそれぞれは、好ましくは、本明細書に参照により記載される米国特許第４，２９８，８６９号にＯｋｕｎｏ氏が記載している方式の直列／並列のＬＥＤ２次元アレイを含んでいる。本実施形態においては、ＬＥＤシステム１２０は、各々９個の赤色ＬＥＤから成る並列接続された３つの列（図示せず）を含むＬＥＤの組１２１と、各々５個の青色または緑色のＬＥＤから成る並列接続された５つの列（図示せず）を含むＬＥＤの組１４０または１６０を含んでいる。一般的に、各赤色ＬＥＤがライン上において降下させる電位量は、青色または緑色のＬＥＤよりも少なく、青色および緑色ＬＥＤのそれぞれが４Ｖであるのに比較して、約２．１Ｖであることが当業者には理解されており、このことが異なる列の長さの根拠となっている。これは、各列中のＬＥＤの数は、電源電圧に保たれている陽極端と、上記の列の末端のＬＥＤにおける陰極端との間において望まれる、電圧降下量によって決定されるためである。また、各列を並列配列するのは、ある列上の１つのＬＥＤが故障し、したがってその列上の電気回路が断絶しても、ライト・モジュール１００が機能し続けられることを保障するためのフェールセーフ対策である。ＬＥＤの組１２１中の、各々９個の赤色ＬＥＤから成る３つの並列接続された列の各陰極端は、次いで１つに連結され、コネクタ１１０のピン１２８へと繋がる。同様に、ＬＥＤの組１４０中の、各々５個の青色ＬＥＤから成る５つの並列接続された列の各陰極端は、１つに連結され、コネクタ１１０のピン１４８へと繋がる。ＬＥＤの組１６０中の、各々５個の緑色ＬＥＤから成る５つの並列接続された列の各陰極端は、１つに連結され、コネクタ１１０のピン１６８へと繋がる。ライト・モジュール１００上において各ＬＥＤの組を流れる最大電流量をプログラムするために、ＬＥＤシステム１２０中の各ＬＥＤの組は、以下に説明される他の要素と結合するプログラミング用抵抗器と最終的に結び付けられる。ピン１２４と１２６との間には、６．２Ωの抵抗器１２２がある。ピン１４４と１４６との間には、４．７Ωの抵抗器１４２がある。ピン１６４と１６６との間には、４．７Ωの抵抗器１６２がある。抵抗器１２２は赤色ＬＥＤの組１２１を流れる最大電流量をプログラムし、抵抗器１４２は青色ＬＥＤの組１４０を流れる最大電流量をプログラムし、抵抗器１６２は緑色ＬＥＤの組１６０を流れる最大電流量をプログラムする。これらの抵抗器が取るべき値は、各ＬＥＤの組における所望の最大光強度に基づいて、経験的に決定される。図３に示した実施形態においては、上記の抵抗器は、赤色、青色および緑色用の電流を、それぞれ７０ｍＡ、５０ｍＡおよび５０ｍＡにプログラムする。
【００２３】
図６に示されるように、デジタル制御されたＬＥＤベースのライト用の回路１０は、ＬＥＤ出力チャネル１４を有し処理装置１６によって制御されているＬＥＤアセンブリ１２を含んでいる。データおよび電力は、データおよび電力の入力ユニット１８を介して、回路１０に供給される。処理装置１６のためのアドレス設定は、処理装置１６のピンの組２１を成す個々のピンに接続された各スイッチを含む、スイッチユニット２０によって行われる。発振器１９は、処理装置１６のピン９および１０を介して、同処理装置１６にクロック信号を供給する。
【００２４】
本発明のある実施形態においては、データおよび電力の入力ユニット１８は、例えば２４ＶのＬＥＤ用電力供給端である電力供給端１、例えば５Ｖの処理装置用電力供給端である処理装置用電力供給端２、データ入力ライン端３およびグラウンドピン４を含む、４本のピンを有している。１番目の電力供給端１は、ＬＥＤアセンブリ１２のＬＥＤチャネル１４に電力を供給する。２番目の処理装置用電力供給端２は、例えば処理装置１６に動作電力を供給するために処理装置１６の電力供給入力部２０に接続されて、さらにリセットを高電位に固定するために処理装置１６のピン１に接続されていても良い。０．１μＦコンデンサ等のコンデンサ２４が、処理装置用電力供給端２とグラウンドとの間に接続されていても良い。データライン端３は、例えば処理装置１６のピン１８と接続され、処理装置１６をプログラミングしかつ動的制御するために使用される。グラウンドは、例えば処理装置１６のピン８および１９に接続される。
【００２５】
ＬＥＤアセンブリ１２は、例えばＬＥＤ用電力供給端１から電力を供給され、トランジスタにより制御されているＬＥＤチャネル１４を含んでいても良い。ＬＥＤチャネル１４は、少なくとも１つのＬＥＤに電力を供給する。図１に示されるように、ＬＥＤアセンブリ１２は、各々のＬＥＤチャネル１４がトランジスタ２６により独立に制御されている状態で、各異なる色のＬＥＤ（例えば赤色、緑色および青色）に対して複数のＬＥＤチャネル１４を提供してもよい。しかしながら、単一のトランジスタ２６によって２つ以上のチャネル１４を制御することも可能である。
【００２６】
図７に示されるように、各ＬＥＤチャネル１４を通じて信号を受信するために、複数のＬＥＤ１５を一連の２次元アレイ状に配列することが可能である。図７に図示された実施形態においては、各々の異なる色（赤色、緑色および青色）を成す一連のＬＥＤが、図６の回路１０からの出力ＬＥＤチャネル１４に接続されている。また、処理装置１６をプログラミングすることを通じて多くの個々のＬＥＤ１５を制御することができるように、複数のＬＥＤ１５を２次元アレイ状に配列して、ＤＭＸ−５１２プロトコル等のプロトコルに従ってデータを受信させても良い。
【００２７】
再び図６を参照して、トランジスタ２６の各ゲートは処理装置１６によって制御されていて、それによって各ＬＥＤチャネル１４と各ＬＥＤ１５の動作が制御されている。図示されている例では、マイクロプロセッサーの出力は処理装置１６のピン１２、１３および１４に現れ、それらのピン１２、１３および１４は次いで各ＬＥＤ１５のＬＥＤチャネル１４のゲートに接続されている。追加のＬＥＤを制御するために、処理装置１６のさらに他のピンを使用することも可能である。同様に、処理装置１６の動作制御命令に適切な修正が加えられるならば、図示されているＬＥＤ１５の制御に、処理装置１６の異なるピンを使用することも可能である。
【００２８】
トランジスタ２６とグラウンドの間には、抵抗器２８が接続されていても良い。図示されている例では、赤色のＬＥＤと結び付けられている抵抗器２８は６２Ωの抵抗値を有し、緑色および青色のＬＥＤと結び付けられている抵抗器２８は各々９０Ωの抵抗値を有する。１番目のＬＥＤ用電力供給端１とグラウンドの間には、コンデンサ２９が接続されていても良い。図示されている実施形態では、このコンデンサは０．１μＦの値を有している。
【００２９】
処理装置１６は発振器１９に接続されることができる。１つの好ましい発振器としては、２０ＭＨｚのクロックを提供する水晶タンク回路発振器である。この発振器は、処理装置１６のピン９および１０に接続されていても良い。また、これに代わる発振器を使用することも可能である。発振器の選択に関して考慮すべき主要項目は、整合性、動作速度およびコストである。
【００３０】
本発明のある実施形態においては、処理装置１６は、プログラミング可能な集積回路、あるいはＭｉｃｒｏｃｈｉｐ　Ｔｅｃｈｎｏｌｏｇｙ社製ＰＩＣ　１６Ｃ６３またはＰＩＣ　１６Ｃ６６のようなＰＩＣチップである。ＰＩＣ　１６Ｃ６ＸシリーズのＰＩＣチップ（ＰＩＣ　１６Ｃ６３とＰＩＣ　１６Ｃ６６の双方を含む）の完全なる説明は、１９９７年１２月１７日出願、発明者Ｍｕｌｌｅｒ氏およびＬｙｓ氏の米国仮特許出願「デジタル制御される発光ダイオードシステムおよび方法」に添付されており、この出願は参照により本明細書に記載されているものとする。現在のところＰＩＣ　１６Ｃ６６が好ましいマイクロプロセッサーであるが、ＬＥＤアセンブリ１２の各ＬＥＤ１５を制御する能力を有する処理装置であれば、いかなる処理装置も使用可能である。したがって、処理装置１６の代わりに例えば特定用途向け集積回路（ＡＳＩＣ）を使用することもできる。同様に、本発明から逸脱することなく、他の市販の処理装置を使用することも可能である。
【００３１】
図８に図示された実施形態では、合計１８個のＬＥＤ１５が、色による３つの組に配置されており、それら３つの組は実質的に円状の２次元アレイ３７を形成するように配置されている。２次元アレイ３７によっていかなる色の組合せ、したがっていかなる色をも発生させられるように、処理装置１６を使用して、ＬＥＤ１５の各色の組について厳密な強度を独立に制御することも可能である。
【００３２】
変化する電気信号に対するＬＥＤの反応性から、ＬＥＤに伝達される電気インパルスの制御を介して、ＬＥＤをコンピュータ制御することが可能となる。したがって、処理装置により制御されている回路を介してＬＥＤを電源に接続することにより、使用者はＬＥＤの色および強度を厳密に制御することができるようになる。電気インパルスの変化に対してＬＥＤは比較的即時に反応するため、そうしたインパルスの変化によって、ＬＥＤの色および強度の状態を非常に素早く変化させることができる。個々のＬＥＤを２次元アレイ状に配置して個々のＬＥＤを制御することにより、マイクロプロセッサーの使用を通じての極めて厳密な点灯状態の制御が達成できるようになる。処理装置１６は、任意の与えられた時刻において適当なＬＥＤに適当な電気信号を送信するために、コンピュータプログラム等の従来型の手段で制御されても良い。制御形式は、厳密な制御が可能となるように、デジタル形式にすることができる。したがって、高度に制御された方法で全体の点灯状態を変化させることが可能である。
【００３３】
ライト・モジュール１００の１実施形態の電気的構造に関する説明は以上とし、次に、本発明のある実施形態における電力供給モジュール２００に関し、図９に図示されるある例の電気的構造に注目する。図１０および１１は、電力供給モジュール２００のある実施形態について、電力供給端子側と電気コネクタ側とを示した図である。ライト・モジュール１００と同様、電力供給モジュール２００も自立型であっても良い。雄ピンの組１１０との相互接続は、相補的な雌ピンの組２１０を通じて成されている。ピン２８０は、供給源３００からピン２８０に伝達される電力を供給するためのピン１８０に接続している。供給源３００は、簡単のために機能ブロックとして図示してある。実際には、供給源３００は、直流電圧を発生させる種多様な形態を取り得る。本実施形態においては、供給源３００は、一般の型の過渡応答時保護用コンデンサ（図示せず）を介してピン２８０に連結された接続端子（図示せず）を通じて、２４Ｖの電圧を供給している。米国特許第４，２９８，８６９号に、より完全に記載されているように、供給源３００は、整流および／または交流電源の電圧変換を受けた後の直流電圧を、供給することもできると理解して良い。
【００３４】
ピンコネクタ２１０にはさらに、３つの電流プログラミング用集積回路ＩＣＲ　２２０、ＩＣＢ　２４０およびＩＣＧ　２６０が接続されている。これらの集積回路のそれぞれは、例えばカリフォルニア州サンタクララのＮａｔｉｏｎａｌ　Ｓｅｍｉｃｏｎｄｕｃｔｏｒ　Ｃｏｒｐｏｒａｔｉｏｎ社から入手できるパーツ番号ＬＭ３１７Ｂのような、３端子の調節可能なレギュレータであっても良い。ＬＭ３１７のデータシートにある記載事項は、参照により本明細書に記載されているものとする。各レギュレータは、それぞれＩ、ＯおよびＡの記号を付される入力端子、出力端子および調節端子を含んでいる。上記のレギュレータは、入力端子へ流れ込む電流および出力端子から流れ出す電流に関して、一定の最大電流量を維持するために機能する。この最大電流量は、出力端子と調節端子間の抵抗を設定することにより、予めプログラムされている。これは、上記のレギュレータは、固定された電流設定抵抗器を介して１．２５Ｖの電圧を生じさせ、したがって一定量の電流を流れさせるために、入力端子の電圧を所要のいかなる値にも落ち着かせるためである。各レギュレータは同様に機能するため、ここではＩＣＲ　２２０に関してのみ説明する。まず、ピン２２８から、ＩＣＲ　２２０の入力端子に電流が流入する。電力供給モジュールのピン２２８は、ライト・モジュールのピン１２８と連結されていて、赤色ＬＥＤシステム１２１の陰極端から直接に電流を受け取る。普通、抵抗器１２２はピン２２４／１２４および２２６／１２６を通じてＩＣＲ　２２０の出力端子と調節端子の間に配列されているため、抵抗器１２２はＩＣＲ　２２０によって規定されるべき電流量をプログラムする。その結果、ＩＣＲ　２２０の調節端子からの出力電流が、ダーリントン・ドライバーに流入する。このようにして、ＩＣＲ　２２０およびＩＣＲ　２２０と結び付けられた抵抗器１２２は、赤色ＬＥＤシステム１２０を流れる最大電流量をプログラムする。同様の結果が、ＩＣＢ　２４０と抵抗器１４２によって青色ＬＥＤの組１４０に、ＩＣＧ　２６０と抵抗器１６２によって緑色ＬＥＤの組１６０にもたらされる。
【００３５】
赤色、青色および緑色ＬＥＤの電流は、それぞれノード３２４、３４４および３６４から、別の集積回路ＩＣＩ　３８０に流れ込む。ＩＣＩ　３８０は、例えばカリフォルニア州サンタクララのＮａｔｉｏｎａｌ　Ｓｅｍｉｃｏｎｄｕｃｔｏｒ　Ｃｏｒｐｏｒａｔｉｏｎ社から入手できるパーツ番号ＤＳ２００３のような、高電流／高電圧ダーリントン・ドライバーであっても良い。ＩＣＩ　３８０は電流シンクとして使用されることが可能で、ＬＥＤの各組とグラウンド３９０の間において電流をスイッチするように機能することが可能である。参照により本明細書に記載されるＤＳ２００３のデータシートで説明されているように、ＩＣＩは、適当なオンボードのバイアス抵抗器を有するダーリントン・トランジスタを、６組含んでいる。図示されているように、ＬＥＤの各組からの電流をシンクに溜めるためにダーリントン・トランジスタの対を使用するとＩＣＩ　３８０の電流定格値を２倍にすることができるという利点を活かすための、良く知られた方法により、ノード３２４、３４４および３６４は、ＬＥＤの各組からの電流を、３対の上記のダーリントン・トランジスタに連結する。３対のオンボードのダーリントン対のそれぞれは、以下に述べる方法により、スイッチとして使用される。各ダーリントン対のベースは、それぞれ信号入力４２４、４４４および４６４と連結される。すなわち入力４２４は、ノード３２４を流れる電流、したがって赤色ＬＥＤの組１２１を流れる電流をスイッチするための信号入力である。入力４４４は、ノード３４４を流れる電流、したがって青色ＬＥＤの組１４０を流れる電流をスイッチするための信号入力である。入力４６４は、ノード３６４を流れる電流、したがって緑色ＬＥＤの組１６０を流れる電流をスイッチするための信号入力である。信号入力４２４、４４４および４６４は、それぞれ以下に説明されるマイクロコントローラＩＣ２　４００の信号出力４３４、４５４および４７４と連結されている。本質的には、高周波数の矩形波が各信号入力に流れている際に、ＩＣＩ　３８０はそれと同一の周波数およびデューティ周期で、対応するノードを流れる電流をスイッチする。したがって、動作中においては、信号入力４２４、４４４および４６４の状態は、ＬＥＤの各組１２１、１４０および１６０を通じる電力供給回路の開閉と、直接相関する。
【００３６】
次に、図９に示した実施形態中の、マイクロコントローラＩＣ２　４００の構造および動作について説明する。適当にプログラミングされたマイクロコントローラまたはマイクロプロセッサーであれば、ほぼ全てのものが本明細書に記載のソフトウェア機能を実行することができるが、マイクロコントローラＩＣ２　４００として好ましいのは、ＭＩＣＲＯＣＨＩＰブランドのＰＩＣ１６Ｃ６３である。マイクロコントローラＩＣ２　４００の主たる機能は、シリアルＲｘピン５２０において受信された数値データを、信号出力４３４、４５４および４７４において、同一の周波数を有するがデューティ周期は独立である３つの独立な高周波数矩形波に変換することである。図９では、分かり易さを最大限追求するために、マイクロコントローラＩＣ２　４００は、２８本の標準ピンのうちいくつかの特定のピンが省略あるいは統合された様式に、部分的に様式化されて描かれており、その省略あるいは統合は当業者には理解可能である。さらに、本発明のある別の実施形態のために、ある類似のマイクロコントローラに関するさらなる詳細が、図１２と共に提供されている。
【００３７】
マイクロコントローラＩＣ２　４００は、５Ｖの直流電源７００と連結されたピン４５０から電力を供給される。電源７００は、好ましくは電圧レギュレータ（図示せず）を含む連結（図示せず）を介して供給源３００により駆動される。電圧レギュレータの例としては、カリフォルニア州サンタクララのＮａｔｉｏｎａｌ　Ｓｅｍｉｃｏｎｄｕｃｔｏｒ　Ｃｏｒｐｏｒａｔｉｏｎ社から入手できるＬＭ３４０　３端子正レギュレータが挙げられる。ＬＭ３４０のデータシートの記載事項は、参照により本明細書に記載されているものとする。ほとんどのマイクロコントローラ、および独立に電力を供給される他の多くのデジタル集積回路は、高々５Ｖの電源を定格としていることは、当業者には理解できることであろう。マイクロコントローラＩＣ２　４００のクロック周波数は、適当なピンを介して連結された水晶４８０によって設定される。ピン４９０は、マイクロコントローラＩＣ２　４００のグラウンド電圧基準ピンである。
【００３８】
スイッチ６００は、マイクロコントローラＩＣ２　４００を唯一のものとして指定するために変更可能かつ機械的に設定されることが可能な、１２点ディップスイッチである。ディップスイッチ６００中の１２個の機械的スイッチを成す個々のスイッチが閉じられると、そのスイッチに対応するマイクロコントローラＩＣ２　４００のピン６５０からグラウンド６９０へとパスが形成される。１２個のスイッチにより２４個の可能な設定を作り出され、これによりいかなるマイクロコントローラＩＣ２　４００も、４０９６個の異なるＩＤあるいはアドレスのうちの１つを取ることができるようになる。図９の実施形態では、ＤＭＸ−５１２プロトコルが採用されているため、９個のスイッチのみが実際に使用されている。
【００３９】
スイッチ６００が設定されると、マイクロコントローラＩＣ２　４００は自己の独自のアドレスを「認知し」（「自分は誰か」）、そしてシリアルライン５２０において、上記のアドレスに特に割り当てられたデータストリームを「聴く」。各ネットワークデータを、中央ネットワーク制御装置（図示せず）から、個々にアドレス指定されたマイクロコントローラＩＣ２　４００のそれぞれに割り当てるためには、ＤＭＸプロトコルのような高速のネットワークプロトコルを使用しても良い。ＤＭＸプロトコルについては、参照により本明細書にも記載されている、Ｕｎｉｔｅｄ　Ｓｔａｔｅｓ　Ｔｈｅａｔｒｅ　Ｔｅｃｈｎｏｌｏｇｙ社の刊行物「調光器および制御装置のためのＤＭＸ５１２／１９９０デジタルデータ送信規格」に記載されている。基本的には、ここで使用されるネットワークプロトコルにおいては、中央制御装置（図示せず）が、一連のデータパケットから成るネットワークデータのストリームを生成する。
【００４０】
各パケットは、規格適合性を検査された後に破棄されるヘッダーを先頭に含んでおり、次いで、連続してアドレス指定される各装置のためのデータを表す一連の文字のストリームを含んでいる。例えば、データパケットがライト番号１５番に向けられたものであれば、データストリームから１４個の文字が破棄され、装置は１５番を示す文字を保存する。好ましい実施形態においてそうであるように、２つ以上の文字が必要とされる場合は、上記のアドレスは開始アドレスと見なされ、２つ以上の文字が保存および利用される。各文字は、０から２５５までの１０進数に対応し、「オフ」から「フル」までの所望の強度を線形増加で表している（簡単のために、ヘッダーおよび停止ビット等のデータパケットに関する詳細は、本明細書では省略してあり、これらの詳細は当業者には良く理解されているであろうものである）。このようにして、３色のＬＥＤの色のそれぞれが、０から２５５の間で個別の強度値を与えられる。これらの各強度値は、マイクロコントローラＩＣ２　４００のメモリー部中の対応する各レジスタ（図示せず）内に保存される。中央制御装置は、全てのデータパケットを排出し終えると、連続したリフレッシュサイクルを繰り返す。規格により、上記のリフレッシュサイクルは、最低１１９６マイクロ秒、最高１秒と規定されている。
【００４１】
マイクロコントローラＩＣ２　４００は、対応するデータストリームを絶えず「聴く」ようにプログラムされている。マイクロコントローラＩＣ２　４００が「聴いて」いる時間であって、そのマイクロコントローラＩＣ２　４００が自己に向けられたデータパケットを検出する前の時間においては、マイクロコントローラＩＣ２　４００は、ピン４３４、４５４および４７４において矩形波の信号出力を作り出すために設計されたルーチンを実行している。上記の色レジスタ中の値により、矩形波のデューティ周期が決定される。各レジスタは０から２５５の間の値を取り得るため、これらの値により、０％から１００％の範囲内で線形増加する２５６個の可能なデューティ周期が作り出される。矩形波の周波数は一様であり、マイクロコントローラＩＣ２　４００内で実行されているプログラムによって決定されるため、これらの異なる個別のデューティ周期は、矩形波パルスの幅の変化を表している。このことはパルス幅変調（ＰＷＭ）という呼び名で知られている。
【００４２】
本発明のある実施形態においては、ピン４３４、４５４および４７４に出力される矩形波の各周期中に渡って、０から２５５までサイクルで増加する単純なカウンタを用いて、ＰＷＭ割込みルーチンが提供される。カウンタが一周して０に戻ると、３つの信号は全てハイに設定される。カウンタが一旦レジスタの値に等しくなると、信号出力はローに変化させられる。マイクロコントローラＩＣ２　４００が新しいデータを受信すると、マイクロコントローラＩＣ２　４００はカウンタを凍結し、新しいデータを作業中のレジスタにコピーし、新しいレジスタ値とその時点でのカウントを比較し、出力ピンを適当に更新し、停止したまさにその時刻からカウンタを再開させる。したがって、強度値をＰＷＭサイクルの途中において更新することも可能である。カウンタを凍結し、同時に信号出力を更新することには、少なくとも２つの利点がある。第一の利点は、それにより各点灯ユニットが、ストロボライトがそうするように素早くパルス点灯／ストロボ点灯できるようになる点である。そうしたストロボ動作は、中央制御装置が、高い強度値を有するネットワークデータと強度値０を有するネットワークデータとを、高速で交互に送信した際に起こる。先に信号出力を更新せずにカウンタを再開すると、異なるパルス幅に設定された各異なる色のＬＥＤのそれぞれが、前後して非活動状態になる現象が人間の肉眼でも観察される。白熱光においては、照明要素の加熱サイクルおよび冷却サイクルに関連する積分効果のため、この特徴は問題にはならない。本発明においては、ＬＥＤは白熱光要素と異なり、本質的には即時に活動化および非活動化される。第二の利点は、そうでなければカウンタが０にリセットされる際に生じる明滅現象を、生じさせることなくＬＥＤを調光できる点にある。中央制御装置は、一様に一定割合で成される各色のＬＥＤの光強度減少を表す一連の強度値を生成する際に、連続した調光信号を送信することができる。カウンタを再開する前に出力信号を更新しない場合には、ある１色のＬＥＤが、デューティ周期中のゼロ電流状態を経ることのないままデューティ周期を２周近く実践してしまう可能性がある。例えば、カウンタ凍結時において、赤色レジスタが４、カウンタが３に設定されていたとする。ここでは、ＰＷＭサイクルの「オフ部分」が赤色ＬＥＤに対して起こる直前に、カウンタが凍結されている。ここで、ネットワークデータが赤色レジスタの値を４から２に変更し、出力信号を非活動化しないままカウンタが再開されたとする。カウンタは赤色レジスタ中の強度値よりも大きいが、出力状態は「オン」のままであり、これはすなわち赤色ＬＥＤには最大電流が流れたままであることを意味する。一方、青色および緑色のＬＥＤは、おそらくはＰＷＭサイクル中の適当な時刻に置いてオフにされる。この現象は、人間の肉眼には、色強度の調光過程中における赤色の明滅として捉えられる。カウンタを凍結し、かつＰＷＭサイクルの残りの時間のために出力を更新すれば、上記の不利益を克服でき、明滅現象が起こらないことを保証することができる。
【００４３】
本発明のＬＥＤのデジタル制御機能を提供するマイクロプロセッサーは、いかなる電気信号に反応性を有していても良い。すなわち、外部信号を使用して、所望の方法でＬＥＤを制御するためにマイクロプロセッサーに命令を与えることも可能である。与えられた入力信号に対してプログラムされた応答が可能となるように、コンピュータプログラムで上記のような信号を制御しても良い。したがって、個々のＬＥＤをオンあるいはオフに切り替える信号、色彩スペクトル全体に渡って個々のＬＥＤの色を変化させる信号、非常に短い間隔にまで制御可能である予め定められた間隔をもってＬＥＤをストロボ動作あるいは点滅させる信号、および単一のＬＥＤまたはＬＥＤの集合からの光の強度を変化させる信号を発生させることが可能である。本発明によれば、使用者に重大な利益をもたらすために、多種多様な信号発生装置を使用することが可能である。入力信号は、ライトのスイッチあるいはダイヤルあるいはリモコンから発せられるような単純なオン／オフ信号あるいは強度信号から、周辺温度や周辺光の検出器のような検出器から発せられる信号まで、広範に渡っていて良い。広範に渡る外部信号に反応して行われる、２次元アレイ状に配されたＬＥＤの上述の厳密なデジタル制御は、多くの技術分野において本発明に従う応用例を可能とするものである。
【００４４】
次に、マイクロコントローラＩＣ２　４００のためのネットワークインターフェースについて説明する。ジャック８００および９００は、標準的なＲＪ−４５ネットワークジャックである。ジャック８００は入力ジャックとして使用されるジャックで、簡単のために、信号入力８６０、８７０およびグラウンド８５０の３つの入力のみを有しているかのように描かれている。ネットワークデータはジャック８００に流入し、信号入力８６０および８７０を通過する。これらの信号入力は、次いで、標準型のＲＳ−４８５／ＲＳ−４２２差動バス中継器であり好ましくはカリフォルニア州サンタクララのＮａｔｉｏｎａｌ　Ｓｅｍｉｃｏｎｄｕｃｔｏｒ　Ｃｏｒｐｏｒａｔｉｏｎ社から入手されるＤＳ９６１７７である、ＩＣ３　５００に連結される。ＤＳ９６１７７のデータシートの記載事項は、参照により本明細書中に記載されているものとする。信号入力８６０、８７０は、ピン５６０、５７０からＩＣ３　５００に流れ込む。このデータ信号は、ピン５１０から、マイクロコントローラＩＣ２　４００のピン５２０に引き渡される。次いで、上記と同じデータ信号が、ＩＣ２　２００のピン５４０から、ＩＣ３　５００のピン５３０へと返される。ジャック９００は出力ジャックとして使用されるジャックで、簡単のために、信号出力９６０、９７０、９８０、９９０およびグラウンド９５０の５つの出力のみを有しているかのように描かれている。出力９６０および９７０は、それぞれ入力ライン８６０および８７０から直接分岐したものである。出力９８０および９９０は、それぞれＩＣ３　５００のピン５８０および５９０から直接に来る出力である。上述のアセンブリは、ネットワークデータを受信するために２つのネットワークノードを接続することを可能にするものであると認められる。したがって、ネットワークは、個々のノードが一続きに連結されてさえいればデイジーチェーン型でも良く、あるいは個々のノードそれぞれの出力に２つ以上のノードが結び付けられていればツリー型でも良い。
【図面の簡単な説明】
【図１】
図１は、本発明に係るあるライト・モジュールを示した図である。
【図２】
図２は、図１のライト・モジュールのための制御データ発生装置とデータ接続された状態にある、図１のライト・モジュールを示した図である。
【図３】
図３は、ライト・モジュールのある実施形態の概略を示した図である。
【図４】
図４は、ライト・モジュールのある実施形態における、ＬＥＤの２次元アレイを示した図である。
【図５】
図５は、本発明のある実施形態における、電力供給モジュールを示した図である。
【図６】
図６は、ライト・モジュールのある実施形態のための回路設計を示した図である。
【図７】
図７は、本発明のある実施形態中のライト・モジュール中における、ＬＥＤの２次元アレイ用の回路設計を示した図である。
【図８】
図８は、図６に示したような回路に連結され得るＬＥＤのある２次元アレイを示した図である。
【図９】
図９は、ライト・モジュールのある実施形態における電気的設計の概略を示した図である。
【図１０】
図１０は、本発明に係るあるライト・モジュールのための電力供給モジュールを示した図である。
【図１１】
図１１は、図１０に示した電力供給モジュールを別の側から見た図である。
【図１２】
図１２は、本発明に係るあるライト・モジュールのための電力供給用回路を示した図である。
【図１３】
図１３は、ある電力／データ・マルチプレクサーのための回路を示した図である。
【図１４】
図１４は、電力／データ・マルチプレクサーの別の実施形態のための回路を示した図である。
【図１５】
図１５は、ある修正パルス幅変調ソフトウェアルーチン中の、各処理段階を示したフローチャートである。
【図１６】
図１６は、あるデータ伝達トラック型点灯システムを示した図である。
【図１７】
図１７は、図１６に示したトラック型システム用の、あるデータドライバーのための回路設計を示した図である。
【図１８】
図１８は、図１６に示したトラック型システム用の、ある終止装置のための回路設計を示した図である。
【図１９】
図１９は、ライト・モジュールのある実施形態であって、そのライト・モジュールが円柱状の収容部に収容されているような実施形態を示した図である。
【図２０】
図２０は、あるモジュラー・ライト・モジュールを示した図である。
【図２１】
図２１は、あるハロゲンソケットに嵌合するように構成されたモジュラー・ライト・モジュールを示した図である。
【図２２】
図２２は、ライト・モジュールのある実施形態のための回路設計を示した図である。
【図２３】
図２３は、あるライト・モジュール用の、あるモジュラー収容部を示した図である。
【図２４】
図２４は、本発明のある１つの実施形態によるモジュラーＬＥＤユニットの概略を示した図である。
【図２５】
図２５は、本発明のある１つの実施形態によるライト・モジュールを示した図である。
【図２６】
図２６は、本発明のある別の実施形態によるライト・モジュールを示した図である。
【図２７】
図２７は、本発明のさらに別の実施形態によるライト・モジュールを示した図である。
【図２８】
図２８は、本発明に係るモジュラーＬＥＤユニットで使用される種々の構成形状に配列された、複数のＬＥＤを示した図である。
【図２９】
図２９は、本発明に係るモジュラーＬＥＤユニットが照明を行い得る、ある環境を示した図である。
【図３０】
図３０は、本発明に係るモジュラーＬＥＤユニットが照明を行い得る、ある別の環境を示した図である。
【図３１】
図３１は、本発明に係るモジュラーＬＥＤユニットが照明を行い得る、さらに別の環境を示した図である。
【図３２】
図３２は、本発明に係るモジュラーＬＥＤユニットが照明を行い得る、さらに別の環境を示した図である。
【図３３】
図３３は、本発明に係るモジュラーＬＥＤユニットが照明を行い得る、さらに別の環境を示した図である。
【図３４】
図３４は、本発明に係るモジュラーＬＥＤユニットが照明を行い得る、さらに別の環境を示した図である。
【図３５】
図３５は、本発明に係るモジュラーＬＥＤユニットが照明を行い得る、さらに別の環境を示した図である。
【図３６】
図３６は、本発明に係るモジュラーＬＥＤユニットが照明を行い得る、さらに別の環境を示した図である。
【図３７】
図３７は、本発明に係るモジュラーＬＥＤユニットが照明を行い得る、さらに別の環境を示した図である。
【図３８】
図３８は、本発明に係るモジュラーＬＥＤユニットが照明を行い得る、さらに別の環境を示した図である。
【図３９】
図３９は、本発明に係るモジュラーＬＥＤユニットが照明を行い得る、さらに別の環境を示した図である。
【図４０】
図４０は、本発明に係るモジュラーＬＥＤユニットが照明を行い得る、さらに別の環境を示した図である。
【図４１】
図４１は、本発明に係るモジュラーＬＥＤユニットが照明を行い得る、さらに別の環境を示した図である。
【図４２】
図４２は、本発明に係るモジュラーＬＥＤユニットが照明を行い得る、さらに別の環境を示した図である。
【図４３】
図４３は、本発明に係るモジュラーＬＥＤユニットが照明を行い得る、さらに別の環境を示した図である。
【図４４】
図４４は、本発明に係るモジュラーＬＥＤユニットが照明を行い得る、さらに別の環境を示した図である。
【図４５】
図４５は、本発明に係るモジュラーＬＥＤユニットが照明を行い得る、さらに別の環境を示した図である。
【図４６】
図４６は、本発明に係るモジュラーＬＥＤユニットが照明を行い得る、さらに別の環境を示した図である。
【図４７】
図４７は、本発明に係るモジュラーＬＥＤユニットが照明を行い得る、さらに別の環境を示した図である。
【図４８】
図４８は、本発明に係るモジュラーＬＥＤユニットが照明を行い得る、さらに別の環境を示した図である。
【図４９】
図４９は、本発明に係るモジュラーＬＥＤユニットが照明を行い得る、さらに別の環境を示した図である。
【図５０】
図５０は、本発明に係るモジュラーＬＥＤユニットが照明を行い得る、さらに別の環境を示した図である。
【図５１】
図５１は、本発明に係るモジュラーＬＥＤユニットが照明を行い得る、さらに別の環境を示した図である。
【図５２】
図５２は、本発明に係るモジュラーＬＥＤユニットが照明を行い得る、さらに別の環境を示した図である。
【図５３】
図５３は、本発明に係るモジュラーＬＥＤユニットが照明を行い得る、さらに別の環境を示した図である。
【図５４】
図５４は、本発明に係るモジュラーＬＥＤユニットが照明を行い得る、さらに別の環境を示した図である。
【図５５】
図５５は、本発明に係るモジュラーＬＥＤユニットが照明を行い得る、さらに別の環境を示した図である。
【図５６】
図５６は、本発明に係るモジュラーＬＥＤユニットが照明を行い得る、さらに別の環境を示した図である。
【図５７】
図５７は、本発明に係るモジュラーＬＥＤユニットが照明を行い得る、さらに別の環境を示した図である。
【図５８】
図５８は、本発明に係るモジュラーＬＥＤユニットが照明を行い得る、さらに別の環境を示した図である。
【図５９】
図５９は、本発明に係るモジュラーＬＥＤユニットが照明を行い得る、さらに別の環境を示した図である。
【図６０】
図６０は、本発明に係るモジュラーＬＥＤユニットが照明を行い得る、さらに別の環境を示した図である。
【図６１】
図６１は、本発明に係るモジュラーＬＥＤユニットが照明を行い得る、さらに別の環境を示した図である。
【図６２】
図６２は、本発明に係るモジュラーＬＥＤユニットが照明を行い得る、さらに別の環境を示した図である。
【図６３】
図６３は、本発明に係るモジュラーＬＥＤユニットが照明を行い得る、さらに別の環境を示した図である。
【図６４】
図６４は、本発明に係るモジュラーＬＥＤユニットが照明を行い得る、さらに別の環境を示した図である。
【図６５】
図６５は、本発明に係るモジュラーＬＥＤユニットが照明を行い得る、さらに別の環境を示した図である。
【図６６】
図６６は、本発明に係るモジュラーＬＥＤユニットが照明を行い得る、さらに別の環境を示した図である。
【図６７】
図６７は、本発明に係るモジュラーＬＥＤユニットが照明を行い得る、さらに別の環境を示した図である。
【図６８】
図６８は、本発明に係るモジュラーＬＥＤユニットが照明を行い得る、さらに別の環境を示した図である。
【図６９】
図６９は、本発明に係るスマート電球の形式の実施形態を示した図である。
【図７０】
図７０は、他の装置とデータ接続された状態の、図６９の実施形態を示した図である。
【図７１】
図７１は、他の複数のスマート電球と接続された状態の、図６９の実施形態を示した図である。
【図７２】
図７２は、互いにデータ接続されている複数のスマート電球によるネットワークを示した図である。
【図７３】
図７３は、スマート電球を利用した、光バッファセンサー／フィードバック形式のある応用例を示した図である。
【図７４】
図７４は、スマート電球を利用した、あるＥＫＧセンサー／フィードバック環境を示した図である。
【図７５】
図７５は、センサー／フィードバック形式のある応用例を示した概略図である。
【図７６】
図７６は、色表示温度計に関連するある一般的なブロック図である。
【図７７】
図７７は、ある色表示速度計を示した図である。
【図７８】
図７８は、ある色表示傾斜計を示した図である。
【図７９】
図７９は、ある色表示磁場強度計を示した図である。
【図８０】
図８０は、ある煙警報システムを示した図である。
【図８１】
図８１は、ある色表示ｐＨメーターを示した図である。
【図８２】
図８２は、物体の存在を知らせるある防犯システムを示した図である。
【図８３】
図８３は、ある電磁放射検出器を示した図である。
【図８４】
図８４は、ある電話用色表示指示器を示した図である。
【図８５】
図８５は、本発明に係るあるライト・モジュールを使用した点灯システムであって、ある娯楽用装置に関連した点灯システムを示した図である。
【図８６】
図８６は、図８５に示したシステムの概略を示した図である。
【図８７】
図８７は、図８５に示したシステム用の、エンコーダの概略を示した図である。
【図８８】
図８８は、図８７に示したエンコーダを使用した、コード化方法の概略を示した図である。
【図８９】
図８９は、図８５に示したシステム用の、デコーダの概略を示した図である。
【図９０】
図９０は、高精度照明システムの、ある実施形態を示した図である。
【図９１】
図９１は、図９０に示した高精度照明システム用の、ある制御モジュールのブロック図である。
【図９２】
図９２は、オペレーターの手に保持されている状態の高精度照明システムを含む、ある実施形態を示した図である。
【図９３】
図９３は、２次元アレイ状に配された複数のＬＥＤシステムによって照らされている果樹を示した図である。
【図９４】
図９４は、自然光によって照らされている果樹を示した図である。
【図９５】
図９５は、ある医療器具に取り付けられたＬＥＤシステムのある実施形態により照らされている肝門の組織を示した、大まかな概略的図である。
【図９６】
図９６は、ある医療器具に取り付けられたＬＥＤシステムの、ある実施形態を示した図である。
【図９７】
図９７は、内視鏡に取り付けられたＬＥＤシステムの、ある実施形態を示した図である。
【図９８】
図９８は、外科手術用ヘッドランプに取り付けられたＬＥＤシステムの、ある実施形態を示した図である。
【図９９】
図９９は、外科手術用ルーペに取り付けられたＬＥＤシステムの、ある実施形態を示した図である。
【図１００】
図１００は、ＬＥＤシステムのある実施形態で照射を行うことにより、ある疾病を治療する方法を示した図である。
【図１０１】
図１０１は、ある物体に投射される光の色を変化させることにより、その物体の知覚される色を変える処理を示した図である。
【図１０２】
図１０２は、ある色づけされた図案に投射される光の色を変化させることにより、その図案が動作するかのような錯覚を引き起こす処理を示した図である。
【図１０３】
図１０３は、ある色づけされた図案に投射される光の色を変化させることにより、その図案が動作するかのような錯覚を引き起こす、ある自動販売機を示した図である。
【図１０４】
図１０４は、ある色づけされた図案に投射される光の色を変化させることにより、その図案を出現させたり見えなくさせたりする、ある自動販売機を示した図である。
【図１０５】
図１０５は、ある容器の照明を行うシステムを示した図である。
【図１０６】
図１０６は、ＬＥＤシステムにより点灯されるある衣料製品を示した図である。
【図１】
2004511878.tif 000002
【図２】
2004511878.tif 000003
【図３】
2004511878.tif 000004
【図４】
2004511878.tif 000005
【図５】
2004511878.tif 000006
【図６】
2004511878.tif 000007
【図７】
2004511878.tif 000008
【図８】
2004511878.tif 000009
【図９】
2004511878.tif 000010
【図１０】
2004511878.tif 000011
【図１１】
2004511878.tif 000012
【図１２】
2004511878.tif 000013
【図１３】
2004511878.tif 000014
【図１４】
2004511878.tif 000015
【図１５】
2004511878.tif 000016
【図１６】
2004511878.tif 000017
【図１７】
2004511878.tif 000018
【図１８】
2004511878.tif 000019
【図１９】
2004511878.tif 000020
【図２０】
2004511878.tif 000021
【図２１】
2004511878.tif 000022
【図２２】
2004511878.tif 000023
【図２３】
2004511878.tif 000024
【図２４】
2004511878.tif 000025
【図２５】
2004511878.tif 000026
【図２６】
2004511878.tif 000027
【図２７】
2004511878.tif 000028
【図２８】
2004511878.tif 000029
【図２９】
2004511878.tif 000030
【図３０】
2004511878.tif 000031
【図３１】
2004511878.tif 000032
【図３２】
2004511878.tif 000033
【図３３】
2004511878.tif 000034
【図３４】
2004511878.tif 000035
【図３５】
2004511878.tif 000036
【図３６】
2004511878.tif 000037
【図３７】
2004511878.tif 000038
【図３８】
2004511878.tif 000039
【図３９】
2004511878.tif 000040
【図４０】
2004511878.tif 000041
【図４１】
2004511878.tif 000042
【図４２】
2004511878.tif 000043
【図４３】
2004511878.tif 000044
【図４４】
2004511878.tif 000045
【図４５】
2004511878.tif 000046
【図４６】
2004511878.tif 000047
【図４７】
2004511878.tif 000048
【図４８】
2004511878.tif 000049
【図４９】
2004511878.tif 000050
【図５０】
2004511878.tif 000051
【図５１】
2004511878.tif 000052
【図５２】
2004511878.tif 000053
【図５３】
2004511878.tif 000054
【図５４】
2004511878.tif 000055
【図５５】
2004511878.tif 000056
【図５６】
2004511878.tif 000057
【図５７】
2004511878.tif 000058
【図５８】
2004511878.tif 000059
【図５９】
2004511878.tif 000060
【図６０】
2004511878.tif 000061
【図６１】
2004511878.tif 000062
【図６２】
2004511878.tif 000063
【図６３】
2004511878.tif 000064
【図６４】
2004511878.tif 000065
【図６５】
2004511878.tif 000066
【図６６】
2004511878.tif 000067
【図６７】
2004511878.tif 000068
【図６８】
2004511878.tif 000069
【図６９】
2004511878.tif 000070
【図７０】
2004511878.tif 000071
【図７１】
2004511878.tif 000072
【図７２】
2004511878.tif 000073
【図７３】
2004511878.tif 000074
【図７４】
2004511878.tif 000075
【図７５】
2004511878.tif 000076
【図７６】
2004511878.tif 000077
【図７７】
2004511878.tif 000078
【図７８】
2004511878.tif 000079
【図７９】
2004511878.tif 000080
【図８０】
2004511878.tif 000081
【図８１】
2004511878.tif 000082
【図８２】
2004511878.tif 000083
【図８３】
2004511878.tif 000084
【図８４】
2004511878.tif 000085
【図８５】
2004511878.tif 000086
【図８６】
2004511878.tif 000087
【図８７】
2004511878.tif 000088
【図８８】
2004511878.tif 000089
【図８９】
2004511878.tif 000090
【図９０】
2004511878.tif 000091
【図９１】
2004511878.tif 000092
【図９２】
2004511878.tif 000093
【図９３】
2004511878.tif 000094
【図９４】
2004511878.tif 000095
【図９５】
2004511878.tif 000096
【図９６】
2004511878.tif 000097
【図９７】
2004511878.tif 000098
【図９８】
2004511878.tif 000099
【図９９】
2004511878.tif 000100
【図１００】
2004511878.tif 000101
【図１０１】
2004511878.tif 000102
【図１０２】
2004511878.tif 000103
【図１０３】
2004511878.tif 000104
【図１０４】
2004511878.tif 000105
【図１０５】
2004511878.tif 000106
【図１０６】
2004511878.tif 000107
【国際公開パンフレット】
2004511878.tif 000108
2004511878.tif 000109
2004511878.tif 000110
2004511878.tif 000111
2004511878.tif 000112
2004511878.tif 000113
2004511878.tif 000114
2004511878.tif 000115
2004511878.tif 000116
2004511878.tif 000117
2004511878.tif 000118
2004511878.tif 000119
2004511878.tif 000120
2004511878.tif 000121
2004511878.tif 000122
2004511878.tif 000123
2004511878.tif 000124
2004511878.tif 000125
2004511878.tif 000126
2004511878.tif 000127
2004511878.tif 000128
2004511878.tif 000129
2004511878.tif 000130
2004511878.tif 000131
2004511878.tif 000132
2004511878.tif 000133
2004511878.tif 000134
2004511878.tif 000135
2004511878.tif 000136
2004511878.tif 000137
2004511878.tif 000138
2004511878.tif 000139
2004511878.tif 000140
2004511878.tif 000141
2004511878.tif 000142
2004511878.tif 000143
2004511878.tif 000144
2004511878.tif 000145
2004511878.tif 000146
2004511878.tif 000147
2004511878.tif 000148
2004511878.tif 000149
2004511878.tif 000150
2004511878.tif 000151
2004511878.tif 000152
2004511878.tif 000153
2004511878.tif 000154
2004511878.tif 000155
2004511878.tif 000156
2004511878.tif 000157
2004511878.tif 000158
2004511878.tif 000159
2004511878.tif 000160
2004511878.tif 000161
2004511878.tif 000162
2004511878.tif 000163
2004511878.tif 000164
2004511878.tif 000165
2004511878.tif 000166
2004511878.tif 000167
2004511878.tif 000168
2004511878.tif 000169
2004511878.tif 000170
2004511878.tif 000171
2004511878.tif 000172
2004511878.tif 000173
2004511878.tif 000174
2004511878.tif 000175
2004511878.tif 000176
2004511878.tif 000177
2004511878.tif 000178
2004511878.tif 000179
2004511878.tif 000180
2004511878.tif 000181
2004511878.tif 000182
2004511878.tif 000183
2004511878.tif 000184
2004511878.tif 000185
2004511878.tif 000186
2004511878.tif 000187
2004511878.tif 000188
2004511878.tif 000189
2004511878.tif 000190
2004511878.tif 000191
2004511878.tif 000192
2004511878.tif 000193
2004511878.tif 000194
2004511878.tif 000195
2004511878.tif 000196
2004511878.tif 000197
2004511878.tif 000198
2004511878.tif 000199
2004511878.tif 000200
2004511878.tif 000201
2004511878.tif 000202
2004511878.tif 000203
2004511878.tif 000204
2004511878.tif 000205
2004511878.tif 000206
2004511878.tif 000207
2004511878.tif 000208
2004511878.tif 000209
2004511878.tif 000210
2004511878.tif 000211
2004511878.tif 000212
2004511878.tif 000213
2004511878.tif 000214
2004511878.tif 000215
2004511878.tif 000216
2004511878.tif 000217
2004511878.tif 000218
2004511878.tif 000219
2004511878.tif 000220
2004511878.tif 000221
2004511878.tif 000222
2004511878.tif 000223
2004511878.tif 000224
2004511878.tif 000225
2004511878.tif 000226
2004511878.tif 000227
2004511878.tif 000228
2004511878.tif 000229
2004511878.tif 000230
2004511878.tif 000231
2004511878.tif 000232
2004511878.tif 000233
2004511878.tif 000234
2004511878.tif 000235
2004511878.tif 000236
2004511878.tif 000237
2004511878.tif 000238
2004511878.tif 000239
2004511878.tif 000240
2004511878.tif 000241
2004511878.tif 000242
2004511878.tif 000243
2004511878.tif 000244
2004511878.tif 000245
2004511878.tif 000246
2004511878.tif 000247
2004511878.tif 000248
2004511878.tif 000249
2004511878.tif 000250
2004511878.tif 000251
2004511878.tif 000252
2004511878.tif 000253
2004511878.tif 000254
2004511878.tif 000255
2004511878.tif 000256
2004511878.tif 000257
2004511878.tif 000258
2004511878.tif 000259
2004511878.tif 000260
2004511878.tif 000261
2004511878.tif 000262
2004511878.tif 000263
2004511878.tif 000264
2004511878.tif 000265
2004511878.tif 000266
2004511878.tif 000267
2004511878.tif 000268
2004511878.tif 000269
2004511878.tif 000270
2004511878.tif 000271
2004511878.tif 000272
2004511878.tif 000273
2004511878.tif 000274
2004511878.tif 000275
2004511878.tif 000276
2004511878.tif 000277
2004511878.tif 000278
2004511878.tif 000279
2004511878.tif 000280
2004511878.tif 000281
2004511878.tif 000282
2004511878.tif 000283
2004511878.tif 000284
2004511878.tif 000285
2004511878.tif 000286
2004511878.tif 000287
2004511878.tif 000288
2004511878.tif 000289
2004511878.tif 000290
2004511878.tif 000291
2004511878.tif 000292
2004511878.tif 000293
2004511878.tif 000294
2004511878.tif 000295
2004511878.tif 000296
2004511878.tif 000297
2004511878.tif 000298
2004511878.tif 000299
2004511878.tif 000300
2004511878.tif 000301
2004511878.tif 000302
2004511878.tif 000303
2004511878.tif 000304
2004511878.tif 000305
2004511878.tif 000306
2004511878.tif 000307
2004511878.tif 000308
2004511878.tif 000309
2004511878.tif 000310
2004511878.tif 000311
2004511878.tif 000312
2004511878.tif 000313
2004511878.tif 000314
2004511878.tif 000315
2004511878.tif 000316
2004511878.tif 000317
2004511878.tif 000318
2004511878.tif 000319
2004511878.tif 000320
2004511878.tif 000321
2004511878.tif 000322
2004511878.tif 000323
2004511878.tif 000324
2004511878.tif 000325
2004511878.tif 000326
2004511878.tif 000327
2004511878.tif 000328
2004511878.tif 000329
2004511878.tif 000330
2004511878.tif 000331
2004511878.tif 000332
2004511878.tif 000333
2004511878.tif 000334
2004511878.tif 000335
2004511878.tif 000336
2004511878.tif 000337
2004511878.tif 000338
2004511878.tif 000339
2004511878.tif 000340
2004511878.tif 000341
2004511878.tif 000342
2004511878.tif 000343
2004511878.tif 000344
2004511878.tif 000345
2004511878.tif 000346
2004511878.tif 000347
2004511878.tif 000348
2004511878.tif 000349
2004511878.tif 000350
2004511878.tif 000351
2004511878.tif 000352
2004511878.tif 000353
2004511878.tif 000354
2004511878.tif 000355
2004511878.tif 000356
2004511878.tif 000357
2004511878.tif 000358
2004511878.tif 000359
2004511878.tif 000360
2004511878.tif 000361
2004511878.tif 000362
2004511878.tif 000363
2004511878.tif 000364
2004511878.tif 000365
2004511878.tif 000366
2004511878.tif 000367
【国際公開パンフレット（コレクトバージョン）】
2004511878.tif 000368
2004511878.tif 000369
【国際調査報告】
2004511878.tif 000370
2004511878.tif 000371
2004511878.tif 000372
2004511878.tif 000373
2004511878.tif 000374